(57)【特許請求の範囲】
【請求項１】
基地局と通信する無線通信機器であって、
複数のレイヤーで送信されるアップリンク制御情報について、レイヤーあたりのシンボル数を決定する決定手段と、
物理アップリンク共有チャネル上の複数の上記レイヤーで、上記アップリンク制御情報を送信する送信手段と、を備え
上記アップリンク制御情報が多重化された１または複数のトランスポートブロックは、複数の上記レイヤーで送信されることを特徴とする無線通信機器。
【請求項２】
１つのβoffset値は、上記複数のレイヤーで複数のトランスポートブロックを送信するための上記アップリンク制御情報について、レイヤーあたりのシンボル数を決定する場合に用いられることを特徴とする請求項１に記載の無線通信機器。
【請求項３】
上記アップリンク制御情報は、肯定応答／否定応答（ＡＣＫ／ＮＡＣＫ）およびランク
指標（ＲＩ）の一方または両方を含んでいる、ことを特徴とする、請求項１または請求項２に記載の無線通信機器。
【請求項４】
無線通信機器と通信する基地局であって、
物理アップリンク共有チャネル上の複数のレイヤーで、アップリンク制御情報を受信する受信手段、を備え、
上記複数のレイヤーで受信するアップリンク制御情報は、上記無線通信装置によってレイヤーあたりのシンボル数が決定され、
上記アップリンク制御情報が多重化された１または複数のトランスポートブロックは、複数の上記レイヤーで受信されることを特徴とする基地局。
【請求項５】
１つのβoffset値は、上記複数のレイヤーで複数のトランスポートブロックを送信するための上記アップリンク制御情報について、レイヤーあたりのシンボル数を決定する場合に用いられることを特徴とする請求項４に記載の基地局。
【請求項６】
上記アップリンク制御情報は、肯定応答／否定応答（ＡＣＫ／ＮＡＣＫ）およびランク
指標（ＲＩ）の一方または両方を含んでいる、ことを特徴とする、請求項４または請求
項５に記載の基地局。
【請求項７】
基地局の通信方法であって、
物理アップリンク共有チャネル上の複数の上記レイヤーで、上記アップリンク制御情報を受信し、
上記複数のレイヤーで受信するアップリンク制御情報は、上記無線通信装置によってレイヤーあたりのシンボル数が決定され、
上記アップリンク制御情報が多重化された１または複数のトランスポートブロックは、複数の上記レイヤーで受信されることを特徴とする通信方法。
【請求項８】
無線通信機器の通信方法であって、
複数のレイヤーで送信されるアップリンク制御情報について、レイヤーあたりのシンボル数を決定し、
物理アップリンク共有チャネル上の複数の上記レイヤーで、上記アップリンク制御情報を送信し、
上記アップリンク制御情報が多重化された１または複数のトランスポートブロックは、複数の上記レイヤーで送信されることを特徴とする無線通信機器。
【請求項９】
無線通信機器と基地局を含む通信システムであって、
上記無線通信機器は、
複数のレイヤーで送信されるアップリンク制御情報について、レイヤーあたりのシンボル数を決定する決定手段と、
物理アップリンク共有チャネル上の複数の上記レイヤーで、上記アップリンク制御情報を送信する送信手段と、を備え
上記基地局は、
物理アップリンク共有チャネル上の複数の上記レイヤーで、上記アップリンク制御情報を受信する受信手段と、を備え
上記アップリンク制御情報が多重化された１または複数のトランスポートブロックは、複数の上記レイヤーで送信されることを特徴とする通信システム。
【発明の詳細な説明】
【技術分野】
【０００１】
本開示は、概して、通信システムに関する。本開示は、より具体的には、コードワードの選択およびアップリンク制御情報のシンボル長の決定に関する。
【背景技術】
【０００２】
消費者のニーズを満たし、可搬性および利便性を改善するために、無線通信機器は、より小さく、そして、より高性能になってきている。消費者は、無線通信機器に次第に依存するようになり、信頼性のあるサービス、広いサービスエリア、そして、高機能を期待するようになっている。無線通信システムは、多数のセルに通信手段を提供することができ、基地局が各セルにサービスを提供してもよい。基地局は、無線通信機器との間で通信する固定局であってもよい。
【発明の概要】
【発明が解決しようとする課題】
【０００３】
無線通信機器が進化するにつれて、通信速度の改善が求められてきている。通信速度を改善する方法のひとつに、より多くの通信リソースを無線通信機器に割り当てる方法がある。しかしながら、より多くのリソースを無線通信機器に割り当てるには、制御メッセージのような通信オーバーヘッドがより多く必要となることもある。通信オーバーヘッドは、限りのある通信リソースを消費する。このことからわかるように、制御メッセージを伝達するシステムおよび方法の改善は有益である。
【課題を解決するための手段】
【０００４】
好ましい実施の形態は、コードワードを選択し、アップリンク制御情報のシンボル長を決定するように構成されている無線通信機器であって、プロセッサと、電子的に上記プロセッサと通信するメモリと、を備え、上記メモリには命令が保存されており、上記命令は、基地局との通信を確立し、上記基地局からダウンリンク制御情報を受信し、基地局情報を受信し、上記基地局情報に基づいてアップリンク制御情報を生成し、複数のレイヤーについて上記アップリンク制御情報のシンボル数を決定し、上記アップリンク制御情報を送信する、ように実行可能な命令である、ことを特徴とする無線通信機器である。
【０００５】
別の好ましい実施の形態は、コードワードを選択し、アップリンク制御情報のシンボル長を決定する方法であって、基地局との通信を確立する確立工程と、上記基地局からダウンリンク制御情報を受信する第１受信工程と、基地局情報を受信する第２受信工程と、無線通信機器において、上記基地局情報に基づいて、アップリンク制御情報を生成する生成工程と、上記無線通信機器において、複数のレイヤーについて、上記アップリンク制御情報のシンボル数を決定する決定工程と、上記アップリンク制御情報を送信する送信工程と、を含んでいる、ことを特徴とする方法である。
【０００６】
本発明の上述およびその他の目的、特徴および利点は、以降の発明の詳細な説明を添付の図面とともに参酌すれば、すぐに理解できるであろう。
【図面の簡単な説明】
【０００７】
【図１】図１は、コードワードを選択し、アップリンク制御情報のシンボル長を決定するシステムおよび方法が実装された１台以上の無線通信機器の構成を示すブロック図である。
【図２】図２は、コードワードを選択し、アップリンク制御情報のシンボル長を決定するシステムおよび方法が実装された１台以上のユーザ機器（ＵＥ）のより具体的な構成を示すブロック図である。
【図３】図３は、本明細書に開示されているシステムおよび方法に基づいて利用され得る、情報フォーマットのいくつかの方法の一形態を示すブロック図である。
【図４】図４は、本明細書に開示されているシステムおよび方法に基づいて基地局で実行され得る方法の一形態を示すフロー図である。
【図５】図５は、コードワードを選択し、アップリンク制御情報のシンボル長を決定する方法の一形態を示すフロー図である。
【図６】図６は、ＣＱＩおよび／またはＰＭＩの多重化のためのコードワード選択モジュールの一形態を示すブロック図である。
【図７Ａ】図７Ａは、アップリンク制御情報用のコードワードを選択する方法のいくつかの形態を示すフロー図である。
【図７Ｂ】図７Ｂは、アップリンク制御情報用のコードワードを選択する方法のいくつかの形態を示すフロー図である。
【図７Ｃ】図７Ｃは、アップリンク制御情報用のコードワードを選択する方法のいくつかの形態を示すフロー図である。
【図７Ｄ】図７Ｄは、アップリンク制御情報用のコードワードを選択する方法のいくつかの形態を示すフロー図である。
【図７Ｅ】図７Ｅは、アップリンク制御情報用のコードワードを選択する方法のいくつかの形態を示すフロー図である。
【図８】図８は、肯定応答／否定応答（ＡＣＫ／ＮＡＣＫ）および／またはランク指標（Rank Indicator：ＲＩ）に関する制御シンボル量決定モジュールの一態様を示すブロック図である。
【図９】図９は、無線通信機器に利用され得る様々な構成部材を示している。
【図１０】図１０は、基地局に利用され得る様々な構成部材を示している。
【発明を実施するための形態】
【０００８】
３ＧＰＰとも称される第３世代パートナーシッププロジェクト（3rd Generation Partnership Project）は、第３世代および第４世代の無線通信システムに関し、グローバルに適用可能な技術仕様および技術レポートを規定することを目的とする提携契約である。３ＧＰＰは、次世代モバイルのネットワーク、システムおよび機器の仕様を規定することができる。
【０００９】
３ＧＰＰロングタームエボリューション（ＬＴＥ）は、ユニバーサルモバイル通信システム（ＵＭＴＳ）の携帯電話やモバイル機器の標準を将来の要求に耐えるものとなるように改善するプロジェクトに対して付けられた名称である。一態様として、ＵＭＴＳは、次世代ユニバーサル地上無線アクセス（Ｅ−ＵＴＲＡ）および次世代ユニバーサル地上無線アクセスネットワーク（Ｅ−ＵＴＲＡＮ）をサポートし、その仕様を提供するように変更されてきた。
【００１０】
本明細書に開示されている少なくともいくつかの態様のシステムおよび方法は、３ＧＰＰ  ＬＴＥおよびＬＴＥ−Ａｄｖａｎｃｅｄの標準（例えば、リリース８およびリリース１０）に関連するものとして記載されている。しかしながら、本開示の範囲は、この点に限られるべきではない。本明細書に開示されている少なくともいくつかの態様のシステムおよび方法は、他の種類の無線通信システムにも利用することができる。
【００１１】
無線通信機器は、基地局に音声および／またはデータを伝送するために利用される電子機器であってもよく、機器ネットワーク（例えば、ＰＳＴＮ、インターネット等）と通信できてもよい。本明細書でシステムおよび方法について説明する際には、無線通信機器のことを、移動局、ユーザ機器（ＵＥ）、アクセス端末、加入者局、モバイル端末、リモート局、ユーザ端末、端末、加入者ユニット、モバイル機器等と称することもある。無線通信機器は、セルラー電話、スマートフォン、パーソナルデジタルアシスタント（ＰＤＡ）、ラップトップコンピュータ、ネットブック、電子リーダ、ワイヤレスモデム等であってもよい。３ＧＰＰの仕様書においては、通常、無線通信機器のことをユーザ機器（ＵＥ）と称している。しかしながら、本開示の範囲は、３ＧＰＰ標準に限定にされるべきではなく、“ＵＥ”および“無線通信機器”というタームは、より一般的なタームである“無線通信機器”の意味に置き換えて利用され得る。
【００１２】
３ＧＰＰの仕様書においては、通常、基地局のことをノードＢ（Ｎｏｄｅ  Ｂ）、拡張ノードＢ（ｅＮＢ）またはホーム拡張ノードＢ（ＨｅＮＢ）と称したり、その他のいくつかの類似の用語で表現したりしている。本開示の範囲は、３ＧＰＰ標準に限定にされるべきではなく、“基地局”、“ノードＢ”、“ｅＮＢ”および“ＨｅＮＢ”といったタームは、より一般的なタームである“基地局”の意味に置き換えて利用され得る。さらに、“基地局”というタームは、アクセスポイントを示すために利用され得る。アクセスポイントは、無線通信機器にネットワーク（例えば、ローカルエリアネットワーク（ＬＡＮ）、インターネット等）へのアクセスを提供する電子機器であってもよい。ターム“通信機器”は、無線通信機器および／または基地局の両方を示すために利用され得る。
【００１３】
コードワードを選択し、アップリンク制御情報のシンボル長を決定するように構成された無線通信機器を開示する。無線通信機器は、プロセッサを備え、メモリ内に命令が保存されている。無線通信機器は、基地局との通信を確立し、基地局からダウンリンク制御情報を受信し、基地局情報を受信する。また、無線通信機器は、基地局情報に基づいて、アップリンク制御情報を生成する。また、無線通信機器は、複数のレイヤーについてアップリンク制御情報のシンボル数を決定し、アップリンク制御情報を送信する。
【００１４】
アップリンク制御情報のシンボル数は、複数の符号語について決定される。複数のレイヤーにおける少なくとも１つのコードワードは、統合されてもよい。シンボル数は、最も悪い状態のレイヤーに基づいて決定されてもよい。シンボル数は、すべてのレイヤーの比例割り当てに基づいて決定されてもよい。
【００１５】
アップリンク制御情報のシンボル数を決定するために複数の
【００１６】
【数１】
0005939991.tif 000002
【００１７】
（以下、「βoffset」とも記載する）値を使用してもよい。シンボル数は、
【００１８】
【数２】
0005939991.tif 000003
【００１９】
という式に基づいて決定してもよい。ここで、
【００２０】
【数３】
0005939991.tif 000004
【００２１】
（以下、「Ｑ’」とも記載する）はシンボル数であり、
【００２２】
【数４】
0005939991.tif 000005
【００２３】
（以下、「Ｏ」とも記載する）はアップリンク情報のビット数であり、
【００２４】
【数５】
0005939991.tif 000006
【００２５】
（以下、「Ｒ」とも記載する）は巡回冗長検査（ＣＲＣ）のビット数であり、
【００２６】
【数６】
0005939991.tif 000007
【００２７】
は初回のアップリンクチャネル伝送のサブキャリア数であり、
【００２８】
【数７】
0005939991.tif 000008
【００２９】
は初回のアップリンクチャネル伝送における１サブフレームあたりのシンボル数であり、
【００３０】
【数８】
0005939991.tif 000009
【００３１】
は特定の（例えば、ｅＮＢからの）アップリンク制御情報２１２のβoffset値であり、
【００３２】
【数９】
0005939991.tif 000010
【００３３】
（以下、「Ｋr」とも記載する）はコードワードｒのインタリーバサイズであり、
【００３４】
【数１０】
0005939991.tif 000011
【００３５】
は現在のアップリンクチャネル伝送のサブキャリア数であり、
【００３６】
【数１１】
0005939991.tif 000012
【００３７】
は現在のアップリンクチャネル伝送における１サブフレームあたりのシンボル数であり、
【００３８】
【数１２】
0005939991.tif 000013
【００３９】
（以下、「ＱRI」とも記載する）はランク指標（ＲＩ）のビット数であり、
【００４０】
【数１３】
0005939991.tif 000014
【００４１】
（以下、「Ｑm」とも記載する）は変調次数である。
【００４２】
シンボル数は、
【００４３】
【数１４】
0005939991.tif 000015
【００４４】
という式に基づいて決定してもよい。ここで、Ｑ’はシンボル数であり、Ｏはアップリンク情報のビット数であり、
【００４５】
【数１５】
0005939991.tif 000016
【００４６】
は初回のアップリンクチャネル伝送のサブキャリア数であり、
【００４７】
【数１６】
0005939991.tif 000017
【００４８】
は初回のアップリンクチャネル伝送における１サブフレームあたりのシンボル数であり、
【００４９】
【数１７】
0005939991.tif 000018
【００５０】
はアップリンク制御情報のβoffset値であり、Ｋrはコードワードｒのインタリーバサイズであり、
【００５１】
【数１８】
0005939991.tif 000019
【００５２】
（以下、「Ｃ」とも記載する）は、コードワードの個数であり、
【００５３】
【数１９】
0005939991.tif 000020
【００５４】
は現在のアップリンクチャネル伝送のサブキャリア数である。
【００５５】
シンボル数は、
【００５６】
【数２０】
0005939991.tif 000021
【００５７】
という式に基づいて決定してもよい。ここで、
【００５８】
【数２１】
0005939991.tif 000022
【００５９】
はレイヤーｉのシンボル数であり、Ｏはアップリンク情報のビット数であり、
【００６０】
【数２２】
0005939991.tif 000023
【００６１】
は初回のアップリンクチャネル伝送のサブキャリア数であり、
【００６２】
【数２３】
0005939991.tif 000024
【００６３】
は初回のアップリンクチャネル伝送における１サブフレームあたりのシンボル数であり、
【００６４】
【数２４】
0005939991.tif 000025
【００６５】
はアップリンク制御情報のβoffset値であり、
【００６６】
【数２５】
0005939991.tif 000026
【００６７】
はｊ番目のコードワードのインタリーバサイズであり、
【００６８】
【数２６】
0005939991.tif 000027
【００６９】
（以下、「Ｌj」とも記載する）は、コードワードのレイヤーの数であり、
【００７０】
【数２７】
0005939991.tif 000028
【００７１】
（以下、「Ｌsum」とも記載する）は、
【００７２】
【数２８】
0005939991.tif 000029
【００７３】
という式で表されるレイヤーの総数であり、
【００７４】
【数２９】
0005939991.tif 000030
【００７５】
は現在のアップリンクチャネル伝送のサブキャリア数である。シンボル数は、
【００７６】
【数３０】
0005939991.tif 000031
【００７７】
という式に基づいて決定してもよい。
【００７８】
シンボル数は、少なくとも１つの肯定応答および否定応答（ＡＣＫ／ＮＡＣＫ）のメッセージについて決定してもよい。シンボル数は、少なくとも１つのランク指標（ＲＩ）メッセージについて決定してもよい。
【００７９】
無線通信機器は、アップリンク制御情報用の複数のコードワードの中からコードワードを１つ選択してもよい。コードワードの選択は、変調符号化方式（ＭＣＳ）の設定値に基づくものであってもよく、ハイブリッド自動再送要求（ＨＡＲＱ）のステータスに基づくものであってもよい。コードワードは、少なくとも１つのＣＱＩ／ＰＭＩメッセージについて選択されてもよく、静的に選択されてもよい。
【００８０】
コードワードを選択し、アップリンク制御情報のシンボル長を決定する方法も開示する。
この方法は、基地局との通信を確立する工程と、基地局からダウンリンク制御情報を受信する工程と、基地局情報を受信する工程と、を含んでいる。また、この方法は、無線通信機器上で、基地局情報に基づいて、アップリンク制御情報を生成する工程を含んでいる。また、この方法は、無線通信機器上で、複数のレイヤーについてアップリンク制御情報のシンボル数を決定する工程と、アップリンク制御情報を送信する工程と、を含んでいる。
【００８１】
アップリンク制御情報（ＵＣＩ）は、ＵＥからｅＮＢへのフィードバックである。アップリンク制御情報（ＵＣＩ）は、チャネルの状況を示したり、ダウンリンク伝送に応答したりするために使用され得る。例えば、ＵＣＩは、ハイブリッド自動再送要求（ＨＡＲＱ）のフィードバック（例えば、肯定応答および否定応答、“ＡＣＫ／ＮＡＣＫ”または“Ａ／Ｎ”）、チャンネル品質指標（ＣＱＩ）、プリコーディング行列（ＰＭＩ）、ランク指標（ＲＩ）等を含んでいてもよい。ＬＴＥリリース１０においては、複数（例えば、最大５つ）のダウンリンク（ＤＬ）のコンポーネントキャリア（ＣＣ）がＵＥに割り当てられてもよい。したがって、ただ１つのＤＬＣＣが使用されるリリース８システムに比べて、ＵＣＩのペイロードは非常に大きくなり得る。リソースが限られているために、物理アップリンク制御チャネル（ＰＵＣＣＨ）は、ＵＣＩフィードバックをすべてサポートすることはできない。したがって、物理アップリンク共有チャネル（ＰＵＳＣＨ）におけるデータ伝送について、適切にＵＣＩを多重化する方法は有益である。
【００８２】
さらに、リリース１０以降では、ＵＥは、シングルユーザマルチ入力マルチ出力（ＳＵ−ＭＩＭＯ）を許可または有効にすることで、データの伝送に複数のアンテナを使用することができる。例えば、ＵＥは、１つのコードワード（ＣＷ）を複数のレイヤーを通じて伝送したり、各ＣＷが異なるレイヤーを通じて伝送されるような形で複数のＣＷを複数のレイヤーを通じて伝送したりできる。レイヤーは、１つ以上のレイヤーの１つ以上のコードワードを多重化することで、伝送アンテナのポートを定める。
【００８３】
アップリンク制御情報（ＵＣＩ）は、ＰＵＳＣＨで、ＳＵ−ＭＩＭＯを用いて時分割多重化されてもよい。一形態では、単一のコンポーネントキャリアおよび複数のコンポーネントキャリアの両者において、ＨＡＲＱ−ＡＣＫおよびＲＩは、両方のＣＷのすべてのレイヤーにわたって複製してもよい。さらに、ＨＡＲＱ−ＡＣＫおよびＲＩは、ＵＣＩシンボルがすべてのレイヤーにわたってタイミング調整されるように、データとともに時分割多重化されていてもよい。そのような形態では、各ＣＷおよび各レイヤーのＵＣＩシンボルの数が決定されてもよい。
【００８４】
これに加えて、あるいは、これに代えて、ＣＱＩおよび／またはＰＭＩは、ただ１つのコードワード（ＣＷ）上で伝送されてもよい。そのような形態では、リリース８の多重化およびチャネルインタリービングの手法を使用してもよく、この手法を拡張してもよい。例えば、データ制御情報多重化（data-control multiplexing）に対する入力である
【００８５】
【数３１】
0005939991.tif 000032
【００８６】
は、長さＱm＊Ｌの複数の列ベクトル
【００８７】
【数３２】
0005939991.tif 000033
【００８８】
にグループ分けされてもよい。ここで、Ｑmは変調次数（例えばＱＰＳＫの場合には２であり、１６ＱＡＭの場合は４であり、６４ＱＡＭの場合は６である）であり、ＬはＣＷがマッピングされるレイヤー２２２の数（例えば１２）である。
【００８９】
【数３３】
0005939991.tif 000034
【００９０】
は、ビット数
【００９１】
【数３４】
0005939991.tif 000035
【００９２】
とともに出力される符号化されたＣＱＩ／ＰＭＩであり、
【００９３】
【数３５】
0005939991.tif 000036
【００９４】
は、Ｇビットの符号化されたデータである。
【００９５】
【数３６】
0005939991.tif 000037
【００９６】
の各変数は、データとともに多重化されるＣＱＩ／ＰＭＩのビット列の列ベクトルであり、各列ベクトルの長さは、Ｑm＊Ｌである（各列ベクトルは、Ｌ個のレイヤーに亘る、変調次数Ｑmのシンボルに変換されるので、ベクトルの長さはＱm＊Ｌになる）。
【００９７】
【数３７】
0005939991.tif 000038
【００９８】
は、列ベクトルの個数であり、物理アップリンク共有チャンネル（ＰＵＳＣＨ）の（参照シンボルの他）リソース要素の数と等しくなるべきである。タイミング調整（time alignment）およびタイミング再調整（time realignment）は、２以上のレイヤー（例えば、Ｌ＝２）で有効にしてもよい。ＵＣＩシンボルレベルのレイヤーマッピングの一形態では、ＵＣＩシンボルは、データ（またはその一部）と同じものとして取り扱われてもよい。そのような形態では、ＣＷ選択の方法が利用されてもよい。
【００９９】
本明細書で開示されているシステムおよび方法は、Ａ／Ｎおよび／またはＲＩのチャネルインタリービングにおける各ＣＷおよび各レイヤーのＵＣＩシンボルの個数を決定する方法を示している。さらに、本明細書で開示されているシステムおよび方法は、ＣＱＩ／ＰＭＩの多重化においてＣＷを選択する方法を示している。
【０１００】
ＬＴＥおよびＬＴＥ−Ａ（あるいは他の無線通信システム）においては、より冗長度を高めることにより、データ情報ビットよりも制御メッセージの堅牢性を高めてもよい。βoffsetというパラメータは、制御メッセージの冗長度の相対レベルを示すように定められている。異なる制御メッセージは、異なる値のβoffsetを有していてもよい。βoffsetの値は、基地局により制御される。
【０１０１】
本明細書で開示されているシステムおよび方法は、Ａ／Ｎおよび／またはＲＩのマッピングにおける各ＣＷおよび各レイヤーのＵＣＩシンボルの個数を決定するために利用されてもよい。同一または異なるレイヤー変調のシンボル数、および、特定のβoffsetを計算する方法に関する詳細を以降で示す。
【０１０２】
ＣＱＩ／ＰＭＩの多重化に関し、本明細書で開示されているシステムおよび方法は、ＳＵ−ＭＩＭＯ伝送で複数のＣＷが使用されるときのＣＷ選択の手続きを提供している。複雑性（complexity）、変調符号化方式（ＭＣＳ）の設定値およびＨＡＲＱプロセスを含むいくつかの態様を考慮してもよい。一形態において、オーバーヘッドが最小限のＣＷが選択されることで、制御情報多重化に因る伝送されるＣＷに対するシステムの影響が低減または最小化される。特に、ＨＡＲＱにおけるソフトコンバイニング（soft combining）の特徴を考慮すると、初送のＣＷよりも再送のＣＷを優先的に選択してもよい。
【０１０３】
図面を参照しながらこれから様々な形態について説明するが、類似の参照番号は、機能的に類似した要素を示している。本明細書で一般的に記述され、図示されているシステムおよび方法は、多種多様な形態にアレンジおよび設計できる。したがって、図面で示されている以降のいくつかの形態の発明の詳細な説明は発明の範囲を限定するものではなく、クレームするシステムおよび方法を代表するものである。本明細書の「複数」というタームは、「２以上」を示している。例えば、「複数のコンポーネント」は、「２以上のコンポーネント」のことを指している。
【０１０４】
図１は、コードワードを選択し、アップリンク制御情報のシンボル長を決定するシステムおよび方法が実装されている１台以上の無線通信機器１０２の構成を示すブロック図である。１台以上の無線通信機器１０２は、１つ以上のアンテナ１０８ａ〜１０８ｎを用いて基地局１１２と通信する。例えば、無線通信機器１０２は、１つ以上のアンテナ１０８ａ〜１０８ｎを用いて、基地局１１２に電磁信号を送信し、基地局１１２から電磁信号を受信する。基地局１１２は、１つ以上のアンテナ１１０ａ〜１１０ｎを用いて１台以上の無線通信機器１０２と通信する。３ＧＰＰの仕様に準拠したユーザ機器（ＵＥ）は無線通信機器１０２の一例であり、３ＧＰＰの仕様に準拠した拡張ノードＢ（ｅＮＢ）は、基地局１１２の一例である。
【０１０５】
１台以上の無線通信機器１０２および基地局１１２は、複数のチャネルを用いて互いに通信してもよい。図１に示した構成では、無線通信機器１０２は、アップリンク制御チャネル１１４を用いて、アップリンク制御情報Ａ（１１６ａ）を基地局１１２に送信してもよい。３ＧＰＰの仕様に準拠した物理アップリンク制御チャネル（ＰＵＣＣＨ）は、アップリンク制御チャネル１１４の一例である。基地局１１２は、ダウンリンク制御チャネル１１８を用いて、ダウンリンク制御情報を無線通信機器１０２に送信してもよい。３ＧＰＰの仕様に準拠した物理ダウンリンク制御チャネル（ＰＤＣＣＨ）は、ダウンリンク制御チャネルの一例である。
【０１０６】
１台以上の無線通信機器１０２は、アップリンク共有チャネル１２０を用いて、基地局１１２との通信、または、基地局１１２に対するデータ１２６の伝送を行ってもよい。データ１２６の例としては、音声データ、メディアデータ、インターネットのデータ、ファイルデータ等が挙げられる。複数の無線通信機器１０２は、アップリンク共有チャネル１２０を並列的に利用してもよい。３ＧＰＰの仕様に準拠した物理アップリンク共有チャネル（ＰＵＳＣＨ）は、アップリンク共有チャネル１２０の一例である。
【０１０７】
無線通信機器１０２は、１つ以上のレイヤー上で１つ以上のコードワード１２４を用いてデータ１２６を送信してもよい。例えば、レイヤー１２２は、空間ストリーム用の送信アンテナポートを定める。複数のレイヤー１２２は、無線通信機器１０２および／または基地局１１２の複数のアンテナ１０８ａ〜１０８ｎ、１１０ａ〜１１０ｎを異なる比重で組み合わせて用いることにより形成されてもよい。
【０１０８】
基地局１１２は、１つ以上のダウンリンクのコンポーネントキャリア１２８を用いてデータ（例えば、音声データ、メディアデータ（例えばビデオ等）、インターネットのデータ、ファイル等）を１台以上の無線通信機器１０２に送信してもよい。１つ以上のダウンリンクのコンポーネントキャリア１２８は、単一の無線通信機器１０２に割り当てられてもよい。
【０１０９】
無線通信機器１０２は、アップリンク制御情報１１６を生成してもよい。例えば、無線通信機器１０２は、ダウンリンク制御チャネル１１８および／または１つ以上のダウンリンクのコンポーネントキャリア１２８を用いて受信されるデータまたは情報に基づいて、アップリンク制御情報１１６（例えば、フィードバック値）を生成してもよい。例えば、無線通信機器１０２は、正常に受信したデータのＡＣＫビットを生成し、正常に受信しなかったデータのＮＡＣＫビットを生成してもよい。アップリンク制御情報１１６の他の例としては、ＰＭＩ、ＲＩおよびＣＱＩが挙げられる。ＰＭＩは、基地局１１２のプリコーディング行列を生成または更新するために利用されてもよい。ランク指標（ＲＩ）は、空間多重化される時の有効な伝送レイヤーの数を定めるために利用されてもよい。ＣＱＩは、チャネル品質を示してもよい。
【０１１０】
アップリンク制御チャネル１１４は、アップリンク制御情報Ａ（１１６ａ）を送信するための限られたリソースを有していてもよい。例えば、アップリンク制御チャネル１１４は、アップリンク制御情報Ａ（１１６ａ）を送信するための時間、周波数、および／または空間のリソースを一定量割り当てられてもよい。アップリンク制御情報１１６の量は変動してもよい。例えば、基地局１１２がより多くのダウンリンクのコンポーネントキャリア１２８を無線通信機器１０２に割り当てるにつれて、無線通信機器１０２は、より多くのアップリンク制御情報１１６を生成してもよい。例えば、無線通信機器１０２は、ダウンリンクのコンポーネントキャリア１２８で受信されるデータが多くなるにつれて、より多くのＡＣＫ／ＮＡＣＫのメッセージまたは情報を生成してもよい。いくつかのケースでは、アップリンク制御情報１１６をすべて搬送する上で十分なリソース（例えば、時間的リソース、周波数的リソース、空間的リソース等）がアップリンク制御チャネル１１４上に存在しないかもしれない。
【０１１１】
アップリンク制御情報Ｂ（１１６ｂ）は、アップリンク共有チャネル１２０を用いて送信されてもよい。例えば、アップリンク制御情報Ｂ（１１６ｂ）は、データ１２６とともに、１つ以上のレイヤーの１つ以上のコードワードに多重化されてもよい。この方法を用いることにより、アップリンク制御情報Ｂ（１１６ｂ）は、基地局１１２に送信される。例えば、アップリンク制御情報Ａ（１１６ａ）とともに、または、アップリンク制御情報Ａ（１１６ａ）に代えて、アップリンク制御情報Ｂ（１１６ｂ）が用いられてもよい。
【０１１２】
１台以上の無線通信機器１０２は、コードワード選択モジュール１０４および／または制御シンボル量決定モジュール１０６を備えていてもよい。コードワード選択モジュール１０４は、アップリンク制御情報Ｂ（１１６ｂ）を伝送するためのコードワード１２４を決定または選択するためのハードウェアおよび／またはソフトウェアのモジュールであってもよい。例えば、一形態では、ＣＱＩメッセージおよび／またはＰＱＩメッセージは、１つのコードワード１２４上で送信されてもよい。コードワード選択モジュール１０４は、（例えば複数のコードワード１２４が使用されるときに）ＣＱＩメッセージおよび／またはＰＱＩメッセージを伝送するためのコードワード１２４を決定または選択するために用いられてもよい。
【０１１３】
制御シンボル量決定モジュール１０６は、各コードワード１２４および／または各レイヤー１２２について、伝送されるべきシンボルの数または長さを決定するために使用されるハードウェアモジュールおよび／またはソフトウェアモジュールであってもよい。例えば、制御シンボル量決定モジュール１０６は、アップリンク制御情報Ｂ（１１６ｂ）を伝送するために使用するシンボルの数を決定してもよい。
【０１１４】
基地局１１２は、静的／準静的のコードワード選択スケジューリングモジュール１４３を備えていてもよい。コードワードの静的／準静的な選択は、変調符号化方式（ＭＣＳ）の設定値、および、基地局１１２のスケジューリング１４３を用いることでなされてもよい。この形態では、変調符号化方式（ＭＣＳ）の設定値は、基地局１１２によって制御されてもよい。したがって、基地局１１２は、コードワードの静的／準静的な選択を可能にするために、ＭＣＳの設定値およびアンテナのポート数を変更してもよい。例えば、基地局１１２は、１つ目のアンテナポート（例えば、１つ目のレイヤー）により高い（または同じ）ＭＣＳの設定値を常に設定することで、１つ目のコードワード１２４について、コードワードの静的な選択を設定してもよい。基地局１１２は、チャネルの状態が変化したときに、１つ目のコードワード１２４についてより高い（または同一の）設定値を維持するためにアンテナのポート数を変更してもよい。
【０１１５】
図２は、コードワードを選択し、アップリンク制御情報のシンボル長を決定するシステムおよび方法が実装されている１台以上のユーザ機器（ＵＥ）２０２の構成をより具体的に示したブロック図である。１台以上のＵＥ２０２は、アップリンク制御情報（ＵＣＩ）決定モジュール２３０、コードワード選択モジュール２０４、制御シンボル量決定モジュール２０６、および、１つ以上のアンテナ２０８ａ〜２０８ｎを備えている。
【０１１６】
１台以上のＵＥ２０２は、１つ以上のアンテナ２０８ａ〜２０８ｎを用いて、拡張ノードＢ（ｅＮＢ）２１２と通信してもよい。また、ｅＮＢ２１２は、１つ以上のアンテナ２１０ａ〜２１０ｎを用いて、１台以上のＵＥ２０２と通信してもよい。１台以上のＵＥ２０２は、ＰＵＣＣＨ２１４および／またはＰＵＳＣＨ２２０を用いて、データ２２６および／または情報をｅＮＢ２１２に送信してもよい。例えば、ＵＥ２０２は、ＰＵＣＣＨ２１４を用いて、ＵＣＩ  Ａ（２１６ａ）を送信してもよい。これに加え、または、これに代えて、１台以上のＵＥ２０２は、データ２２６および／またはＵＣＩ  Ｂ（２１６ｂ）を、ＰＵＳＣＨ２２０を用いて、１つ以上のレイヤー２２２の１つ以上のコードワード（ＣＷ）２２４上でｅＮＢ２１２に送信してもよい。ｅＮＢ２１２は、ＰＤＣＣＨ２１８および／または１つ以上のダウンリンクのコンポーネントキャリア２２８を用いて、１台以上のＵＥ２０２にデータおよび／または情報を送信してもよい。
【０１１７】
ＵＥ２０２のＵＣＩ決定モジュール２３０は、ｅＮＢ２１２に送信するフィードバック値またはフィードバックメッセージを決定してもよい。例えば、ＵＣＩ決定モジュール２３０は、１つ以上のＨＡＲＱ２３２（例えば、Ａ／Ｎ）メッセージ、ＲＩメッセージ２３４、ＰＭＩメッセージ２３６、および／またはＣＱＩメッセージ２３８を決定または生成してもよい。コードワード選択モジュール２０４は、ＵＣＩ  Ｂ（２１６ｂ）またはその一部を伝送するためのコードワード（ＣＷ）２２４を選択してもよい。例えば、コードワード選択モジュール２０４は、ＰＭＩ２３６および／またはＣＱＩ２３８のメッセージ用のＣＷ２２４を選択してもよい。
【０１１８】
制御シンボル量決定モジュール１０６は、ＣＱＩおよび／またはＰＭＩシンボル量決定モジュール２４０を備えていてもよい。ＣＱＩおよび／またはＰＭＩシンボル量決定モジュール２４０は、ＣＱＩ２３８および／またはＰＭＩ２３６のメッセージに使用されるシンボルの量または数を決定してもよい。また、制御シンボル量決定モジュール２０６は、ＡＣＫ／ＮＡＣＫおよび／またはＲＩシンボル量決定モジュール２４２を備えていてもよい。ＡＣＫ／ＮＡＣＫおよび／またはＲＩシンボル量決定モジュール２４２は、ＨＡＲＱ（Ａ／Ｎ）メッセージ２３２および／またはＲＩメッセージに使用されるシンボルの数を決定してもよい。換言すれば、ＡＣＫ／ＮＡＣＫおよび／またはＲＩシンボル量決定モジュール２４２は、ＨＡＲＱメッセージ２３２および／またはＲＩメッセージ２３４をＰＵＳＣＨ２２０上で伝送するために使用されるシンボルがいくつであるかを決定してもよい。
【０１１９】
ｅＮＢ２１２は、各種の制御情報２４８について、特定のデータ、または、βoffsetのようなパラメータを含んでいてもよい。例えば、
【０１２０】
【数３８】
0005939991.tif 000039
【０１２１】
がＣＱＩ／ＰＭＩ用のβoffsetであり、
【０１２２】
【数３９】
0005939991.tif 000040
【０１２３】
がＲＩ用のβoffsetであり、
【０１２４】
【数４０】
0005939991.tif 000041
【０１２５】
がＡＣＫ／ＮＡＣＫ用のβoffsetであってもよい。また、ｅＮＢ２１２は、ＰＵＳＣＨリソース情報２５０（例えば、サブキャリアの位置および物理リソースブロックＮPRBの数）コードワード数Ｃ（２５２）、および／または、各ＣＷの変調符号化方式（ＭＣＳ）の設定値２５４（例えば、ＭＣＳインデックスＩMCS）を含んでいてもよい。ｅＮＢ２１２は、これらのパラメータ２４８、２５０、２５２、２５４の決定、および、ＵＥ２０２への送信の少なくとも一方を行ってもよい。これらのパラメータ２４８、２５０、２５２、２５４のより詳細については後で示す。また、ｅＮＢ２１２は、ＵＣＩ解釈モジュール２４４および／またはＵＣＩレポート構成モジュール２４６を備えていてもよい。ｅＮＢ２１２は、ＵＣＩ解釈モジュール２４４を用いてＵＣＩ  Ｂ（２１６ｂ）を解釈できる。例えば、ＵＣＩ  Ｂ（２１６ｂ）は、非明示的にシグナリングされてもよい。例えば、ＵＥ２０２がＵＣＩ  Ｂ（２１６ｂ）内のＰＭＩ２３６および／またはＣＱＩ２３８用に選択されたＣＷ２２４を示すために明示的なメッセージをｅＮＢ２１２に送信することなく、コードワードの選択が実行されてもよい。ＵＣＩ解釈モジュール２４４は、ＵＣＩ  Ｂ（２１６ｂ）を解釈するため（例えば、ＰＭＩ２３６および／またはＣＱＩ２３８が送信されるＣＷ２２４を決定するため）に使用されてもよい。また、ｅＮＢ２１２は、ＵＣＩレポート構成モジュール２４６を備えていてもよい。例えば、ｅＮＢ２１２は、ＵＣＩレポート構成モジュール２４６を用いて、ＰＭＩ２３６またはＣＱＩ２３８をどのコードワードを用いて送信すべきかを示す明示的なメッセージをＵＥ２０２に送信してもよい。
【０１２６】
これに関し、リリース８のＰＵＳＣＨのデータと制御情報の多重化（PUSCH data and control multiplexing)の例について以降に示す。ＬＴＥリリース８のＰＵＳＣＨのデータと制御情報の多重化では、データと制御情報が符号化され、ＵＣＩにリソースを割り当てるためにコードデータブロックをパンクチャリングすることにより別々に伝送される。ＵＣＩの多重化は、２つの工程を含んでいる（例えば、図３を参照）。最初に、符号化されたデータビット列の先頭にある符号化されたＣＱＩ／ＰＭＩが多重化される。次に、符号化されたＡ／Ｎおよび符号化されたＲＩのチャネルインタリービングが実行される。符号化されたＡ／Ｎおよび符号化されたＲＩは、サブフレーム内のシンボルの特定のコラムセット（column set）に挿入される。チャネル特性および基地局（ｅＮＢ）で測定される受信データに基づいたデータに対するエラー保護に応じて、制御情報に対して与えられるエラー保護が変化するように、βoffsetは規定される。その結果、各制御ビットには、各データ情報ビットと比べてβ倍のリソースが割り当てられる。符号化された制御ビットを、単純に繰り返し必要な符号化済シンボルに入れることで、制御情報が冗長化される。一形態では、デフォルトのβoffsetは、Ａ／ＮおよびＲＩの２０倍であって、ＣＱＩの６．２５倍である。
【０１２７】
ＵＥ２０２がＨＡＲＱ−ＡＣＫビットまたはランク指標（ＲＩ）ビットを伝送する際に、ＨＡＲＱ−ＡＣＫまたはランク指標（ＲＩ）の符号化済シンボルの数Ｑ’が、式（１）に示したように決定されてもよい。
【０１２８】
【数４１】
0005939991.tif 000042
【０１２９】
式（１）において、ＯはＡＣＫ／ＮＡＣＫビットまたはランク指標（ＲＩ）のビット数であり、（ＰＵＳＣＨリソース情報２５０から計算可能な）
【０１３０】
【数４２】
0005939991.tif 000043
【０１３１】
は、サブキャリアの数で表現されたトランスポートブロックの現在のサブフレームにおけるＰＵＳＣＨ伝送の予定帯域幅（scheduled bandwidth）である。
【０１３２】
【数４３】
0005939991.tif 000044
【０１３３】
は、同じトランスポートブロックの初回のＰＵＳＣＨ伝送のサブキャリアの数である。
【０１３４】
【数４４】
0005939991.tif 000045
【０１３５】
は、ＰＵＳＣＨ２００上で送信するＡＣＫ／ＮＡＣＫまたはＲＩのβoffset値である。Ｃ２５２は、この伝送のためのＣＷ２２４の個数である。ＫrはＣＷ２２４のターボ符号インタリーバのサイズである。Ｋrは変調符号化方式（ＭＣＳ）の設定値２５４に従って決定されてもよく、サブキャリアの数（例えば、ＮPRB）は、ＰＵＳＣＨリソース情報２５０によって与えられてもよい。
【０１３６】
【数４５】
0005939991.tif 000046
【０１３７】
は、同一のトランスポートブロックの初回のＰＵＳＣＨ伝送の１サブフレームあたりのシングルキャリア周波数分割多元接続（ＳＣ−ＦＤＭＡ）のシンボルの数であり、
【０１３８】
【数４６】
0005939991.tif 000047
【０１３９】
によって与えられる。ＮSRSは、スロット内のサウンディング基準信号（Sound Reference Signals）の数である。初回の伝送において同一のサブフレーム内でＰＵＳＣＨおよびＳＲＳを送信するようにＵＥが構成されているか、または、初回の伝送のＰＵＳＣＨリソース割り当てが、セル固有のＳＲＳサブフレームの設定（SRS subframe configuration）、および、帯域幅の設定（bandwidth configuration）と部分的に一致する場合、ＮSRSは１と等しくなる。それ以外の場合には、ＮSRSは０と等しくなる。
【０１４０】
【数４７】
0005939991.tif 000048
【０１４１】
は、１スロットあたりのＳＣ−ＦＤＭＡシンボルの数であり、例えば、正規サイクリックプレフィックス（normal cyclic prefix）では７と等しくなり、拡張サイクリックプレフィックス（extended cyclic prefix）では６と等しくなる。
【０１４２】
【数４８】
0005939991.tif 000049
【０１４３】
は、現在のアップリンクチャネル伝送のサブキャリアの数である。
【０１４４】
ＣＷの数Ｃ２５２、ターボ符号化インタリーバのサイズＫ、および、
【０１４５】
【数４９】
0005939991.tif 000050
【０１４６】
は、同じトランスポートブロックの最初のＰＤＣＣＨ（initial PDCCH）から取得できる。同じトランスポートブロックに、ＤＣＩフォーマットが０であるような最初のＰＤＣＣＨが存在しない場合、１）同一トランスポートブロックの最初のＰＤＳＣＨが半永続スケジューリングされるか、同一トランスポートブロックのランダムアクセス応答のグラントになる時、または、２）ＰＵＳＣＨがランダムアクセス応答のグラントによって開始される時に、
【０１４７】
【数５０】
0005939991.tif 000051
【０１４８】
、ＣＷの数Ｃ２５２、および、Ｋを、直近の半永続スケジューリング割り当てＰＤＣＣＨ（semi-persistent scheduling assignment PDCCH）から決定することができる。
【０１４９】
ＨＡＲＱ情報では、
【０１５０】
【数５１】
0005939991.tif 000052
【０１５１】
となる。
【０１５２】
【数５２】
0005939991.tif 000053
【０１５３】
は、３ＧＰＰの仕様に従って決定し、ＵＣＩレポート構成２４６を備えたｅＮＢ２１２によって設定されてもよい。ＲＩ情報では、
【０１５４】
【数５３】
0005939991.tif 000054
【０１５５】
となる。
【０１５６】
【数５４】
0005939991.tif 000055
【０１５７】
は、３ＧＰＰの仕様に従って決定し、ＵＣＩレポート構成２４６を備えたｅＮＢ２１２によって設定されてもよい。ＱACKおよびＱRIは、それぞれ、符号化されたＡ／Ｎのビット数、および、符号化されたＲＩのビット数であり、ＱACK’およびＱRI’は、それぞれ、符号化されたＡ／Ｎのシンボル数、および、符号化されたＲＩのシンボル数である。各シンボルの変調次数はＱmである。Ｑmは、ＰＵＳＣＨリソース情報２５０およびコードワードＭＣＳ設定値２５４を用いて決定されてもよい。
【０１５８】
ＵＥ２０２は、チャネル品質制御情報（ＣＱＩ）およびＰＭＩ情報ビットを伝送する際、チャネル品質情報の符号化シンボルの数Ｑ’は、式（２）に示すように決定してもよい。
【０１５９】
【数５５】
0005939991.tif 000056
【０１６０】
式（２）では、Ｒは、巡回冗長検査（ＣＲＣ）ビットのビット数であり、
【０１６１】
【数５６】
0005939991.tif 000057
【０１６２】
によって与えられる。
【０１６３】
【数５７】
0005939991.tif 000058
【０１６４】
であり、
【０１６５】
【数５８】
0005939991.tif 000059
【０１６６】
は、３ＧＰＰの仕様に従って決定し、ＵＣＩレポート構成２４６を備えたｅＮＢ２１２によって設定されてもよい。
【０１６７】
【数５９】
0005939991.tif 000060
【０１６８】
は、現在のアップリンクチャネル伝送のサブキャリアの数であり、
【０１６９】
【数６０】
0005939991.tif 000061
【０１７０】
は、現在のアップリンクチャネル伝送の１サブフレームあたりのシンボルの数である。
ＱRIはランク指標（ＲＩ）のビット数であり、Ｑmは変調次数である。一般に、Ｑはビット数を示しており、Ｑ＝Ｑm＊Ｑ’となるようなＱ’はシンボル数を示している。もし、ＲＩが伝送されない場合、ＱRIは０である。
【０１７１】
ＬＴＥ−Ａでは、ＵＥ２０２は、複数のアンテナ２０８ａ〜２０８ｎを備えている。これにより、１つ以上のコンポーネントキャリア（ＣＣ）について、シングルユーザマルチ入力マルチ出力（ＳＵ−ＭＩＭＯ）が有効または可能になる。ＵＥ２０２は、１つ以上のコードワード（ＣＷ）２２４（例えばトランスポートブロック（ＴＢ））の各々を１つ以上のレイヤーで伝送してもよい。アップリンク制御情報（ＵＣＩ）は、ＰＵＳＣＨ上で、ＳＵ−ＭＩＭＯを用いて多重化されてもよい。一形態では、単一のコンポーネントキャリア（ＣＣ）および複数のＣＣの両方について、ＨＡＲＱ−ＡＣＫ２３２およびＲＩ２３４が、両者または複数のＣＷ２２４の全レイヤーに亘って複製されてもよい。さらに、ＵＣＩシンボルが全レイヤーに亘ってタイミング調整されるように、ＨＡＲＱ−ＡＣＫ２３２およびＲＩ２３４は、データとともに時分割多重化されてもよい。そのような形態では、各ＣＷおよび各レイヤー２２２のＵＣＩシンボルの数は、本明細書に開示されているシステムおよび方法に従って決定されてもよい。
【０１７２】
これに加え、または、これに代えて、ＣＱＩ２３８および／またはＰＭＩ２３６は、ただ１つのコードワード（ＣＷ）を用いて伝送されてもよい。そのような形態では、リリース８の多重化およびチャネルインタリービングの方法を使用および／または拡張してもよい。例えばデータ制御情報多重化に対する入力である、
【０１７３】
【数６１】
0005939991.tif 000062
【０１７４】
は、長さＱm＊Ｌの複数の列ベクトル
【０１７５】
【数６２】
0005939991.tif 000063
【０１７６】
にグループ分けされてもよい。ここで、Ｑmは変調次数（例えばＱＰＳＫの場合には２であり、１６ＱＡＭの場合は４であり、６４ＱＡＭの場合は６である）であり、ＬはＣＷがマッピングされるレイヤー２２２の数（例えば１、２等）である。タイミング調整およびタイミング再調整は、２以上のレイヤー（例えば、Ｌ＝２）で有効にされてもよい。ＵＣＩシンボルレベルレイヤーマッピングの一形態では、ＵＣＩシンボルは、データ（またはその一部）と同様に取り扱われてもよい。そのような形態では、ＣＷ選択は、本明細書に開示されているシステムおよび方法に従って実行されてもよい。
【０１７７】
コードワード選択モジュール２０４は、ＣＷ選択の方法を提供してもよい。コードワード選択のより詳細を以下に示す。一形態では、ＣＱＩ２３８および／またはＰＭＩ２３６は、ＰＵＳＣＨ２２０上で、ＳＵ−ＭＩＭＯ伝送における１つのＣＷ２２４に多重化されてもよい。ＣＷ２２４の数が１つである（例えば、ただ１つのＣＷ２２４が使用される）場合、ＣＷ選択２０４は必要ではなく、適用されない。使用されるＣＷ２２４の数が１であってレイヤー２２２の数が１または２である場合、ＵＥは、リリース８の多重化およびチャネルインタリービングを拡張した方法を用いることで、データ制御情報多重化に対する入力である、
【０１７８】
【数６３】
0005939991.tif 000064
【０１７９】
が、長さＱm＊Ｌの複数の列ベクトル
【０１８０】
【数６４】
0005939991.tif 000065
【０１８１】
にグループ分けされてもよい。ここで、Ｑmは変調次数（例えばＱＰＳＫの場合には２であり、１６ＱＡＭの場合は４であり、６４ＱＡＭの場合は６である）であり、ＬはＣＷ２２４がマッピングされるレイヤー２２２の数（例えば１、２等）である。タイミング調整またはタイミング再調整は、２以上のレイヤー（例えば、Ｌ＝２）で有効にされてもよい。
【０１８２】
ＣＱＩ２３８および／またはＰＭＩ２３６の多重化に関し、本明細書に開示されているシステムおよび方法は、ＳＵ−ＭＩＭＯ伝送において複数のＣＷ２２４が使用されるときのＣＷ２２４の選択手続を提供する。複雑性（complexity）、変調符号化方式（ＭＣＳ）に関する１つまたは複数の設定値、および／または、ＨＡＲＱステータスもしくはＨＡＲＱプロセスを含むいくつかの要素または態様を用いてもよい。様々な設定でオーバーヘッドが最小となるようなＣＷ２２４を選択することにより、制御情報（例えば、ＵＳＩ  Ｂ（２１６ｂ））の多重化によってシステムが伝送されるＣＷ２２４に及ぼす影響を減らしたり、最小化したりするために、本明細書に開示されているシステムおよび方法が使用されてもよい。
【０１８３】
ＣＱＩ２３８および／またはＰＭＩ２３６のメッセージ（例えば、ＵＳＩ  Ｂ（２１６ｂ））は、多重化後には、データ２２６と同様に取り扱われてもよい。したがって、ＣＱＩ２３８および／またはＰＭＩ２３６の多重化後の影響が最小となるＣＷ２２４が、（例えば、２以上のＣＷ２２４が使用される時の）アップリンクＭＩＭＯのために選択されてもよい。この選択のために、いくつかの要素または態様が使用されてもよい。これらの要素または態様には、システムの複雑性（complexity）、変調符号化方式（ＭＣＳ）の設定値、および／または、ＣＷ２２４のＨＡＲＱステータスが含まれていてもよい。
【０１８４】
静的または準静的にＣＷ２２４を選択することで受信機（例えば、ｅＮＢ２１２）におけるＣＱＩ２３８および／またはＰＭＩ２３６のデコードを単純化できる。これは、情報を搬送するのに使用されるＣＷ２２４を動的に決定する必要がないからである。他方で、選択されるＣＷ２２４のチャネル状況が悪化している場合には、不要な性能ロスを引き起こしてしまう。
【０１８５】
ＭＣＳの設定値をより高くすることは、チャネル品質をより良好にし、データペイロードサイズ（例えば、トランスポートブロックのサイズ、すなわち、ＴＢＳ）を大きくし、さらに／あるいは、変調次数（Ｑm）をより大きくすることを意味し得る。したがって、制御メッセージと同じβoffsetの要求を満たすためにレイヤー２２２に必要なシンボル数は、ＭＣＳ設定値が高いほど少なくなり得る。そして、ＣＷ２２４の制御情報／データのオーバーヘッド比は、少なくなるか、または、最小化され得る。
【０１８６】
ＨＡＲＱ（例えば、ＡＣＫ／ＮＡＣＫ）２３２では、直前の伝送が成功しなかった場合に、同一または異なる冗長バージョンのＣＷ２２４が伝送（例えば、再送）されてもよい。受信機（例えば、ｅＮＢ２１２）において前のバージョンが既に利用可能になっているので、受信機は、現在の伝送をソフトコンバイニングすることで、より確実に、ＣＷ２２４のデコードを成功できる。したがって、制御情報（例えば、ＵＣＩ  Ｂ（２１６ｂ））の多重化のためにＨＡＲＱ再送のＣＷ２２４にリソースを割当または譲渡する場合、初送のＣＷ２２４（例えば、初送対象を保持するＣＷ２２４）からリソースを奪う場合に比べて、データ２２６の性能に対する影響を少なくすることができる。
【０１８７】
しかしながら、再送対象のＣＷ２２４からリソースを奪うと、再度エラーになった場合に再送されるＣＷ２２４の遅延がより大きくなり得る。さらに、ＣＷ２２４の最後の再送がエラーになった場合、そのことが、より上位のレイヤーの自動再送要求（ＡＲＱ）（例えば、無線リンク制御（ＲＬＣ）のＡＲＱ）を引き起こし、結果として、オーバーヘッドをより大きくしてしまう。したがって、可能な場合には、最後のＨＡＲＱ再送の対象になっているＣＷ２２４がＣＱＩ２３８および／またはＰＭＩ２３６を保持するのを避けてもよい。
【０１８８】
ｅＮＢ２１２からの対応するＨＡＲＱフィードバックは、物理ハイブリッドＡＲＱインジケータチャネル（ＰＨＩＣＨ）（図示せず）でシグナリングされてもよい。一形態では、ＨＡＲＱ再送は非適応的であってもよい。この形態では、ＣＷ２２４の再送に同じＭＣＳ設定値が使用されてもよい。別の形態では、これに加え、または、これに代えて、基地局（例えば、ｅＮＢ２１２）が、適応的なＨＡＲＰ伝送を行ってもよく、新しい伝送パラメータが、ＰＤＣＣＨ２１８から与えられるか、ＰＤＣＣＨ２１８でシグナリングされてもよい。例えば、基地局（例えば、ｅＮＢ２１２）は、初回のＣＷ２２４の伝送時よりも少ないリソースを再送用に割り当ててもよい。この場合、より少ないリソースで再送される適応的なコードワード１２４にＣＱＩ２３８および／またはＰＭＩ２３６を多重化するのは望ましくないかもしれない。適応ＨＡＲＱでは、ＰＤＣＣＨ２１８からのパラメータおよびＡＣＫ／ＮＡＣＫは、ＰＨＩＣＨで提供された情報を書き換えてもよい。
【０１８９】
一形態では、２以上のＣＷ（例えば、２つのＣＷ）２２４がアップリンクで伝送される場合、ＣＱＩ２３８および／またはＰＭＩ２３６は、ただ１つのＣＷ２２４に多重化されてもよい。したがって、本明細書に開示されているＣＷの選択に関するシステムおよび方法は、様々な構成において、１つ以上の要素または態様（例えば、準静的もしくは動的、ＭＣＳのステータスもしくは設定値、並びに、ＨＱＲＱプロセス）を用いてもよい。
【０１９０】
一形態では、ＣＷ選択２０４は、変更符号化方式（ＭＣＳ）の設定値に基づくものであってもよい。この形態では、複数のＣＷ２２４が異なるＭＣＳ設定値を有している場合、ＵＥ２０２は、ＭＣＳの設定値がより高い（これは、ＴＢＳがより大きく、チャネル品質がより良好であることを意味し得る）ＣＷ２２４を選択してもよい。複数のＣＷ２２４が同一のＭＣＳ設定値を有している場合、ＵＥ２０２は、最初のＣＷ２０４を選択してもよいし、明示的なＣＷ選択シグナリングに従ってもよい（例えば、ＵＣＩレポート構成２４６を有するｅＮＢ２１２によって明示的シグナリング処理がされたＣＷを使用または選択してもよい）し、ＣＷ選択をｅＮＢ２１２に対して明示的にシグナリングしてもよい。
【０１９１】
別の形態では、ＭＣＳ設定値および基地局（例えばｅＮＢ２１２）のスケジューリングを用いて静的／準静的にＣＷ２２４を選択してもよい。この形態では、基地局１１２（例えば、ＵＣＩレポート構成２４６を有するｅＮＢ２１２）がＭＣＳ設定値を制御してもよい。したがって、基地局は、静的または準静的にＣＷを選択するために、ＭＣＳ設定値またはアンテナポート数を変更してもよい。例えば、基地局（例えばｅＮＢ２１２）は、最初のアンテナポートのＭＣＳ設定値を常により高く（または同一に）することで、最初のＣＷ２２４に関するＣＷ選択を静的にしてもよい。基地局（例えばｅＮＢ２１２）は、チャネルの状況が変化すると、最初のＣＷ２２４のより高い（または同一の）ＭＣＳ設定値を維持するために、アンテナポート数を変更してもよい。
【０１９２】
別の形態では、動的なＣＷ選択２０４は、さらに、上記ＭＣＳ設定値によるＨＡＲＱプロセスを用いてもよい。これは、その構成に応じて、２つのアプローチに分けることができる。
【０１９３】
別の形態では、初送時のＭＣＳおよびＨＡＲＱのプリファレンスを用いて、動的にＣＷを選択してもよい。この形態では、初送の対象であるＣＷ２２４（例えば、初送対象を保持するＣＷ２２４）は、ＨＡＲＱ再送（ＣＷ２２４）よりも優先的に選ばれてもよい。エラー時に再送される機会がより多いからである。同様に、ＨＡＲＱプロセスにおける再送回数がより少ないＣＷ２２４は、再送回数がより多いＣＷ２２４よりも優先的に選択されてもよい。この形態のＣＷ選択２０４について、以下に説明する。
【０１９４】
この形態では、複数のＣＷ２２４が異なるＭＣＳ設定値を有している場合、ＵＥ２０２は、ＭＣＳ設定値がより高い（これは、ＴＢＳがより大きく、チャネル品質がより良好であることを意味し得る）ＣＷ２２４を選択してもよい。複数のＣＷ２２４が同一のＭＣＳ設定値を有している場合、ＵＥ２０２は、その複数のＣＷ２２４がすべて初送の対象であるか否かを判定してもよい。すべてのＣＷ２２４が初送の対象である場合、ＵＥ２０２は、最初のＣＷ２０４を選択してもよいし、ＣＷ選択の明示的シグナリングに従って（例えば、ＵＣＩレポート構成２４６を有するｅＮＢ２１２によって明示的にシグナリングされたＣＷ２２４を用いて）ＣＷ２２４を選択してもよいし、ＣＷ選択をｅＮＢ２１２に対して明示的にシグナリングしてもよい。ＣＷ２２４がＨＡＲＱの再送対象である（または、再送対象を保持している）場合であって、別のＣＷ２２４が初送の対象である場合、ＵＥ２０２は、初送の対象であるＣＷ２２４を選択してもよい。ＵＥ２０２は、ＨＡＲＱフィードバックを受信すると、任意選択で、上記複数のＣＷが適応的に伝送されるか非適応的に伝送されるかを判定してもよい。１つ以上のＣＷ２２４が非適応的に伝送されない（例えば、適応的に伝送される）場合、ＵＥ２０２は、それらがすべて適応的に伝送されるかを判定してもよい。もし、あるＣＷ２２４が非適応的に伝送され、別のＣＷ２２４が適応的に伝送される場合、ＵＥ２０２は、適応的な伝送に使用されるリソースを、初送時（に使用されるリソース）と比較してもよい。適応的な伝送に使用されるリソースが初送時よりも少ない場合、ＵＥ２０２は、適応的に伝送されるＣＷ２２４を選択するのを避け、非適応的に伝送されるＣＷ２２４を選択してもよい。そうでなく、ＣＷ２２４の適応的な伝送に使用されるリソースが初送時に使用されるリソースよりも多い場合、ＵＥ２０２は、適応的に伝送されるＣＷ２２４を選択してもよい。
【０１９５】
すべてのＣＷ２２４が適応的に伝送される場合、ＵＥは、ＣＷ２２４のＭＣＳ設定値の初期値を判定し、ＭＣＳ設定値の初期値がより大きいＣＷ２２４を選択してもよい。すべてのＣＷ２２４のＭＣＳ設定値の初期値が同一である場合、ＵＥ２０２は、再送回数を比較してもよい。すべてのＣＷが非適応的に伝送される場合にも、ＵＥ２０２は、ＣＷ２２４の再送回数を判定してもよい。ＵＥ２０２は、すべてのＣＷ２２４の再送回数を比較し、再送回数がより少ないＣＷ２２４を選択してもよい。すべてのＣＷ２２４の再送回数が同じである場合、ＵＥ２０２は、最初のＣＷ２０４を選択してもよいし、明示的なＣＷ選択シグナリングに従って（例えば、ＵＣＩレポート構成２４６を有するｅＮＢ２１２によって明示的にシグナリングされたＣＷ２２４を用いて）ＣＷ２２４を選択してもよいし、ＣＷ選択をｅＮＢ２１２に対して明示的にシグナリングしてもよい。
【０１９６】
別の形態では、再送時のＭＣＳおよびＨＡＲＱのプリファレンスを用いて、動的にＣＷを選択してもよい。この形態では、再送対象であるＣＷ２２４のＣＱＩ２３８および／またはＰＭＩ２３６を多重化することで、システムの性能低下を低減し得る。受信機（例えば、ｅＮＢ２１２）にＣＷ２２４のコピーが既に存在し、ＨＡＲＱソフトコンバイニングにより初送のみよりも性能を良好にできるからである。この形態では、ＨＡＲＱ再送のＣＷ２２４は、初送のＣＷ２２４よりも優先的に選択されてもよい。同様に、再送回数のより多いＣＷ２２４は、再送回数のより少ないＣＷ２２４よりも優先的に選択されてもよい。ただし、上位のレイヤーの再送を引き起こす可能性を低減または最小化するために、最後の再送は例外としてもよい。このＣＷ選択方法の形態は、次のように説明される。
【０１９７】
この形態では、複数のＣＷ２２４のＭＣＳ設定値が異なる場合、ＵＥ２０２は、ＭＣＳ設定値がより大きい（これは、ＴＢＳがより大きく、チャネル品質がより良好であることを意味し得る）ＣＷ２２４を選択してもよい。上記複数のＣＷ２２４のＭＣＳ設定値が同一である場合、ＵＥ２０２は、それらが初送の対象であるかを判定してもよい。それらすべてのＣＷ２２４が初送の対象である場合、ＵＥ２０２は、最初のＣＷ２２４を選択してもよいし、ＣＷ選択の明示的シグナリングに従って（例えば、ＵＣＩレポート構成２４６を有するｅＮＢ２１２によって明示的にシグナリングされたＣＷ２２４を用いて）ＣＷ２２４を選択してもよいし、ＣＷ２２４の選択をｅＮＢ２１２に対して明示的にシグナリングしてもよい。ＣＷ２２４がＨＡＲＱの再送対象である（または、再送対象を保持している）場合であって、別のＣＷ２２４が初送の対象である場合、ＵＥ２０２は、ＨＡＲＱ再送の対象となっているＣＷ２２４についてこの再送が最後の再送であるか否かを判定してもよい。そして、ＣＷ２２４のＨＡＲＱ再送が最後の再送である場合、ＵＥは、ＣＱＩ２３８および／またはＰＭＩ２３６を多重化するために（そのＣＷ２２４を避けて、）初送対象のＣＷ２２４を選択してもよい。そうでない場合（ＣＷ２２４のＨＡＲＱ再送が最後の再送でない場合）、ＵＥ２０２は、ＣＱＩ２３８および／またはＰＭＩ２３６を多重化するために、ＨＡＲＱ再送の対象となっているＣＷ２２４を選択してもよい。
【０１９８】
ＵＥ２０２は、ＨＡＲＱフィードバックを受信すると、上記複数のＣＷが適応的に伝送されるか非適応的に伝送されるかを判定してもよい。１つ以上のＣＷ２２４が非適応的に伝送されない（例えば、適応的に伝送される）場合、ＵＥ２０２は、それらがすべて適応的に伝送されるかを判定してもよい。もし、あるＣＷ２２４が非適応的に伝送され、別のＣＷ２２４が適応的に伝送される場合、ＵＥ２０２は、適応的な伝送に使用されるリソースを、初送時（に使用されるリソース）と比較してもよい。適応的な伝送に使用されるリソースが初送時よりも少ない場合、ＵＥ２０２は、適応的に伝送されるＣＷ２２４を選択するのを避け、非適応的に伝送されるＣＷ２２４を選択してもよい。そうでなく、ＣＷ２２４の適応的な伝送に使用されるリソースが初送時に使用されるリソースよりも多い場合、ＵＥ２０２は、適応的に伝送されるＣＷ２２４を選択してもよい。
【０１９９】
すべてのＣＷ２２４が適応的に伝送される場合、ＵＥ２０２は、ＣＷ２２４のＭＣＳ設定値の初期値を判定し、ＭＣＳ設定値の初期値がより大きいＣＷ２２４を選択してもよい。すべてのＣＷ２２４のＭＣＳ設定値の初期値が同一である場合、ＵＥ２０２は、再送回数を判定してもよい。すべてのＣＷ２２４が非適応的に伝送される場合にも、ＵＥ２０２は、ＣＷ２２４の再送回数を判定してもよい。ＵＥ２０２は、ＣＷ２２４の再送回数を比較してもよい。すべてのＣＷ２２４の再送回数が同じである場合、ＵＥ２０２は、最初のＣＷ２２４を選択してもよいし、明示的なＣＷ選択シグナリングに従って（例えば、ＵＣＩレポート構成２４６を有するｅＮＢ２１２によって明示的にシグナリングされたＣＷ２２４を用いて）ＣＷ２２４を選択してもよいし、ＣＷ選択をｅＮＢ２１２に対して明示的にシグナリングしてもよい。ＣＷの再送回数が異なっている場合、ＵＥ２０２は、ＨＡＲＱ再送の回数がより多いＣＷ２２４の再送が最後の再送であるかを確認し、ＣＱＩ２３８および／またはＰＭＩ２３６を多重化するために、そのＣＷ２２４を避けて、再送回数がより少ないＣＷ２２４を選択してもよい。そうではなく、ＵＥ２０２は、ＣＱＩ２３８および／またはＰＭＩ２３６を多重化するために、ＨＡＲＱ再送の回数がより多いＣＷ２２４を選択してもよい。
【０２００】
ＵＥ２０２は、ＣＱＩ／ＰＭＩシンボル量決定モジュール２４０を用いて、選択されたＣＷ２２４のＣＱＩ／ＰＭＩシンボルの数を決定してもよい。選択されたＣＷのＣＱＩ／ＰＭＩシンボルの数は、複数のレイヤーに亘ったタイミング調整の拡張がされたリリース８の手続きに従ったものであってもよい。例えば、各レイヤー２２２のシンボル数Ｑ’は、式（３）に示されているようなリリース８の式に従って決定されてもよい。
【０２０１】
【数６５】
0005939991.tif 000066
【０２０２】
式（３）において、Ｋrは、選択されたＣＷのターボインタリーバサイズである。Ｋrは、符号化変調方式（ＭＣＳ）の設定値２５４、およびＰＵＳＣＨリソース情報２５０によって与えられるサブキャリア数（例えば、ＮPRB）であってもよい。
【０２０３】
本明細書に開示されているシステムおよび方法では、ＣＷ選択は、非明示的に達成されてもよい。例えば、ＵＥ２０２は、ＰＭＩ２３６および／またはＣＱＩ２３８を搬送するためにどのＣＷ２２４が選択されたかを明示的に（例えば、ｅＮＢ２１２に）シグナリングしなくてもよい。また、ｅＮＢ２１２は、ＵＣＩレポート構成２４６を用いて、ＣＷ選択を規定しなくてもよい。この場合、基地局（例えば、ｅＮＢ２１２）は、ＵＣＩ解釈モジュール２４４を用いて、ＰＭＩ２３６および／またはＣＱＩ２３８を多重化するためにどのＣＷ２２４が選択されたかを特定してもよい。しかしながら、基地局（例えば、ｅＮＢ２１２）は、ＵＣＩレポート構成２４６を用いて明示的にシグナリングすることで、ＵＣＩ多重化のための任意のＣＷを選択してもよい。例えば、ｅＮＢ２１２は、ＵＣＩレポート構成２４６を用いて、ＰＭＩ２３６および／またはＣＱＩ２３８の多重化のためのＣＷ２２４の選択を明示的にＵＥ２０２にシグナリングしてもよい。明示的にシグナリングする場合、シグナリングが、非明示的なＣＷ選択を無効にしてもよい。また、例えば、初送のＣＷ２２４または再送回数の少ないＣＷ２２４を優先的に選択する場合、または、その逆の場合、ｅＮＢ２１２は、ＵＣＩレポート構成２４６を用いて、動的なＣＷ選択のＨＡＲＱステータスのプリファレンスを設定してもよい。
【０２０４】
Ａ／Ｎ２３２およびＲＩ２３４の一形態では、ＵＣＩシンボル（例えば、２１６ｂ）は、すべてのレイヤーに亘って、タイミング調整されてもよい。各レイヤー２２２のシンボル数は、決定される必要があってもよい。リリース８では、例えば、ＰＵＳＣＨ２２０上の１レイヤー２２２にただ１つのＣＷ２２４が存在し得る。したがって、Ａ／ＮおよびＲＩのコード制御ビットのビット数を規定する上で、単一のβoffsetがあれば十分である。しかしながら、ＳＵ−ＭＩＭＯでは、複数のＣＷ２２４および複数のレイヤー２２２が使用され得る。ＵＣＩシンボル（例えば、ＵＣＩ  Ｂ（２１６ｂ））はすべてのレイヤー２２２に亘ってタイミング調整され得るので、各レイヤー２２２の対応するβoffsetは、互いに異なり得る。各レイヤー２２２に同一のβoffsetが適用される場合、タイミング調整は保障されない可能性がある。さらに、最も良好な状態または最も悪い状態のレイヤーのβoffsetでタイミング調整を行う場合、それぞれ、制御情報（例えば、ＵＣＩ  Ｂ（２１６ｂ））の保護が不十分または過剰になってしまう。したがって、ＳＵ−ＭＩＭＯの場合のβoffsetは、すべてのレイヤー２２２の冗長度の合計として規定されてもよい。
【０２０５】
各レイヤー２２２のシンボル数を決定する一形態について以下に説明する。この形態では、Ａ／Ｎ２３２およびＲＩ２３４は、すべてのレイヤー２２２に亘ってタイミング調整される。これは、ランク１送信（rank-1 transmission）と類似している。１つの方法として、全レイヤー２２２の全ＣＷ２２４を集約データ(aggregated data)として扱うことで、リリース８の手続きを拡張することが挙げられる。これを式（４）に示す。
【０２０６】
【数６６】
0005939991.tif 000067
【０２０７】
式（４）では、Ｏは、ＡＣＫ／ＮＡＣＫ２３２またはランク指標（ＲＩ）２３４のビット数であり、Ｃ２５２は、ＣＷ２２４の数であり、Ｋrは、ＣＷ２２４のターボ符号インタリーバサイズである。Ｋrは、変調符号化方式（ＭＣＳ）の設定値２５４と、ＰＵＳＣＨリソース情報２５０により与えられるサブキャリアの数（例えば、ＮPRB）とによって決定されてもよい。全ＣＷ２２４のＫrの合計値は分母に用いられてもよい。
【０２０８】
あるいは、式（４）を次のように説明することもできる。Ａ／Ｎ２３２およびＲＩ２３４は、全レイヤー２２２でインタリーブされてもよい。したがって、βoffset値は、各レイヤー２２２について計算されてもよい。全レイヤー２２２のβoffsetの合計値は、望ましいβoffset値２４８と等しくなるべきである。
【０２０９】
例えば、Ｑ’を各レイヤー２２２のシンボルとすると、各レイヤー２２２のβoffsetは、式（５）に示したように与えられてもよい。
【０２１０】
【数６７】
0005939991.tif 000068
【０２１１】
式（５）では、レイヤーｉ２２２がｊ番目のＣＷ２２４にマッピングされる。０、・・・、Ｃ−１の各ｊについて、
【０２１２】
【数６８】
0005939991.tif 000069
【０２１３】
はｊ番目のＣＷ２２４のインタリーバサイズである。ＬjはＣ番目のＣＷ２２４のレイヤー２２２の数である。βoffsetの合計値は、式（６）のように表現されてもよい。
【０２１４】
【数６９】
0005939991.tif 000070
【０２１５】
式（６）では、Ｌsumは、伝送に使用されるレイヤー２２２の総数であり、
【０２１６】
【数７０】
0005939991.tif 000071
【０２１７】
である。したがって、望ましいβoffset値が与えられると、式（７）に示されているように、望ましいＱ’を求めることができる。
【０２１８】
【数７１】
0005939991.tif 000072
【０２１９】
ＵＣＩ（例えば、ＵＣＩ  Ｂ（２１６ｂ））はシンボルの整数にマッピングされてもよい。これにより同じ結果が求められる。すなわち、
【０２２０】
【数７２】
0005939991.tif 000073
【０２２１】
である。この形態では、例えば、βoffsetは、ＭＣＳ設定値がより大きいレイヤー２２２／コードワード２２４に対しては、より小さいレイヤー２２２／ＣＷ２２４のβoffset値が割り当てられるように、比例的に配分される。
【０２２２】
別の形態では、より堅実な（例えば、制御のパフォーマンスを保障可能な）方法として、最も悪い状態のレイヤー２２２の設定値に基づいてＱ’を計算する方法がある。この形態において、レイヤーの期待されるβoffsetを
【０２２３】
【数７３】
0005939991.tif 000074
【０２２４】
とする。このとき、
【０２２５】
【数７４】
0005939991.tif 000075
【０２２６】
を、式（８）に示されているように決定してもよい。
【０２２７】
【数７５】
0005939991.tif 000076
【０２２８】
天井関数を施すことで得られるシンボルの整数をＰＵＳＣＨリソースで制限することで、式（９）が求められてもよい。
【０２２９】
【数７６】
0005939991.tif 000077
【０２３０】
さらに、Ｑ’は、式（１０）に示したように決定されてもよい。
【０２３１】
【数７７】
0005939991.tif 000078
【０２３２】
この形態は、最も悪い状態のコードワード２２４およびレイヤー２２２でもβoffsetが維持されることを保障できる。他方で、式（４）〜（７）に示した形態と比較して、Ａ／Ｎ２３２およびＲＩ２３４を保護するためのオーバーヘッドが大きくなる。
【０２３３】
図３は、本明細書に開示されているシステムおよび方法に従って使用可能ないくつかの情報形式化モジュールの一形態３００を示すブロック図である。トランスポートブロックＣＲＣ付加モジュール３５６は、情報をフォーマットして、トランスポートブロック、および、付加ＣＲＣ情報にしてもよい。コードブロックセグメンテーション／コードブロックＣＲＣ付加モジュール３５８は、コードブロック、および、付加ＣＲＣ情報を分割してもよい。これは、チャネル符号化モジュール３６０に入力されてもよく、チャネル符号化モジュール３６０は、その入力をチャネル符号化してもよい。チャネル符号化モジュール３６０の出力は、レートマッチングモジュール３６２に入力されてもよい。レートマッチングモジュール３６２は、レートマッチングにより、入力を、ＰＵＳＣＨ割り当てリソースに入れる上で望ましい長さにしてもよい。これは、コードブロック連結モジュール３６４に入力されてもよく、コードブロック連結モジュール３６４は、入力を連結することにより、ＰＵＳＣＨ割り当てリソースに入れるためのコードブロックを形成してもよい。一形態では、例えば、アップリンクにおいて、１つのアンテナポートにただ１つのトランスポートブロックが存在してもよい。
【０２３４】
制御情報は、チャネル符号化モジュール３６６、３６８、３７０によりチャネル符号化されてもよい。例えば、ＣＱＩ２３８および／またはＰＭＩ２３６は、チャネル符号化モジュール３６６によってチャネル符号化されてもよい。ＲＩ２３４は、別のチャネル符号化モジュール３６８によってチャネル符号化され、ＡＣＫ／ＮＡＣＫ（例えば、ＨＡＲＱ２３２）は、別のチャネル符号化モジュール３７０によってチャネル符号化されてもよい。
【０２３５】
本明細書に開示されているシステムおよび方法では、データ制御情報多重化モジュール３７２により、符号化されたデータビット列の先頭にある符号化されたＣＱＩ／ＰＭＩ２３８、２３６が多重化される。さらに、チャネルインタリーバ３７４が、符号化されたＡＣＫ／ＮＡＣＫ２３２および符号化されたＲＩ２３４に対してチャネルインタリーブを実行する。符号化されたＡ／Ｎ２３２および符号化されたＲＩ２３４は、サブフレーム内のシンボルの特定のコラムセットに挿入されてもよい。図３は、本明細書に開示されているシステムおよび方法に従って適用可能な方法を示している。すなわち、本明細書に開示されているシステムおよび方法は、符号化された制御メッセージの長さ（例えば、各レイヤーのＡ／ＮおよびＲＩの符号化ビットのシンボル数）、ＣＱＩ／ＰＭＩ多重化のために使用可能なトランスポートブロック（ＴＢ）、および、選択されたコードワードの各レイヤーについて符号化されたＣＱＩ／ＰＭＩのシンボル数を決定する方法について説明している。
【０２３６】
本明細書に開示されているシステムおよび方法は、選択されたコードワードの各レイヤーについて符号化されたＣＱＩ／ＰＭＩ２３８のシンボル数を対応するβoffset（例えば、ＣＱＩ／ＰＭＩ、Ａ／ＮおよびＲＩのそれぞれについて、
【０２３７】
【数７８】
0005939991.tif 000079
【０２３８】
【数７９】
0005939991.tif 000080
【０２３９】
および
【０２４０】
【数８０】
0005939991.tif 000081
【０２４１】
を決定してもよい）により決定してもよく、全コードワードの各レイヤーについて符号化されたＡＣＫ／ＮＡＣＫ２３２のシンボル数、および／または、符号化されたＲＩのシンボル数を、上記対応するβoffsetにより決定してもよい。これらのβoffset値は同一であってもよい。また、これらのβoffset値は、コードワード対レイヤーが１対多および多対多であるものを含むＳＵ−ＭＩＭＯの制御情報２４８のβoffsetをＵＥがコードワード対レイヤーが１対１である場合と同様の方法で求めるというＬＴＥリリース８と同じ方法により導出されてもよい。
【０２４２】
図４は、本明細書に開示されているシステムおよび方法に従って基地局１１２において実行される方法４００の一態様を示すフロー図である。基地局１１２は、無線通信機器１０２との通信を確立してもよい（４０２）。基地局１１２は、無線通信機器１０２に対して制御パラメータを送信してもよい（４０４）。例えば、基地局１１２は、制御情報２４８のパラメータとして１つ以上のβoffsetを送信し、ＣＷ数であるＣ（２５２）（例えば、ＣＷ２２４の数）およびコードワードＭＣＳ設定値を送信し、ＰＵＳＣＨリソース情報２５０やＵＣＩレポート構成２４６といったその他のパラメータを必要に応じて送信してもよい。基地局１１２は、基地局情報を無線通信機器１０２に送信してもよい（４０６）。例えば、基地局１１２は、（ダウンリンクの）データ（例えば、音声データ、メディアデータ、ファイルデータ等）を無線通信機器１０２に送信してもよい。無線通信機器１０２は、これらのパラメータおよび／または情報（例えば、データ）を用いて、ＡＣＫ／ＮＡＣＫ２３２、ＲＩ２３４、ＰＭＩ２３６および／またはＣＱＩ２３８アップリンク制御情報（例えば、ＵＣＩ  Ｂ（２１６ｂ））といったフィードバック値を決定してもよい。無線通信機器１０２は、本明細書に開示されているシステムおよび方法に従って、１つ以上のコードワード１２４および／または１つ以上のレイヤー２２２上で、アップリンク制御情報１１６をフォーマットして送信してもよい。基地局１１２は、無線通信機器１０２からアップリンク制御情報１１６ｂを受信してもよい（４０８）。形態に応じて、基地局１１２は、アップリンク制御情報１１６ｂを用いて、基地局１１２の無線通信機器１０２に対する通信を維持および／または更新してもよい。例えば、基地局１１２は、データを再送し、プリコーダをアップデートし、さらに／あるいは、アップリンク制御情報１１６ｂに基づいて制御コマンド等を生成してもよい。
【０２４３】
図５は、コードワードを選択し、アップリンク制御情報のシンボル長を決定する方法５００の一態様を示すフロー図である。無線通信機器１０２は、基地局１１２との通信を確立してもよい（５０２）。例えば、無線通信機器１０２は、基地局１１２へのメッセージの送信および／または基地局１１２からのメッセージの受信により基地局１１２のリソースにアクセスできるように、基地局１１２とネゴシエーションしてもよい。無線通信機器１０２は、基地局１１２から制御パラメータを受信してもよい（５０４）。例えば、無線通信機器１０２は、制御情報２４８の１つ以上のβoffsetを受信し、ＣＷ数であるＣ（２５２）（例えば、ＣＷ２２４の数）を受信し、コードワードＭＣＳ設定値２５４を受信し、さらに／あるいは、ＰＵＳＣＨリソース情報２５０やＵＣＩレポート構成２４６等のその他のパラメータを必要な場合に受信してもよい。これに加え、または、これに代えて、無線通信機器１０２は、基地局１１２からコマンドを受信してもよい。
【０２４４】
また、無線通信機器１０２は、基地局１１２の情報を受信してもよい（５０６）。例えば、無線通信機器１０２は、１つ以上のダウンリンクのコンポーネントキャリア１２８に関するデータまたはメッセージを基地局１１２から受信してもよい（５０６）。例えば、無線通信機器１０２は、基地局１１２から、音声データ、メディアデータ、ファイルデータ等を受信してもよい（５０６）。
【０２４５】
無線通信機器１０２は、基地局１１２の情報に基づいて、アップリンク制御情報を生成してもよい（５０８）。例えば、無線通信機器１０２は、ＵＣＩレポート構成２４６を用いて、制御レポートが必要であるか否か、および、どのような制御情報をレポートできるかを判定してもよい。無線通信機器１０２は、パラメータおよび／または情報（例えば、データ）を用いて、ＡＣＫ／ＮＡＣＫ２３２、ＲＩ２３４、ＰＭＩ２３６および／またはＣＱＩ２３８アップリンク制御情報（例えば、ＵＣＩ  Ｂ（２１６ｂ））といったフィードバック値を決定してもよい。
【０２４６】
無線通信機器１０２は、少なくともいくつかのアップリンク制御情報用の複数のコードワード１２４の中から、コードワード１２４を１つ選択してもよい。例えば、複数（例えば、２以上）のコードワード１２４が用いられる場合、無線通信機器１０２は、ＣＱＩおよび／またはＰＭＩの多重化用の複数のコードワード１２４から１つのコードワード１２４を選択してもよい。コードワード１２４の選択５１０に関するより詳細については、図２を参照して既に示したが、以降においても、図７を参照して示すこととする。
【０２４７】
無線通信機器１０２は、アップリンク制御情報１１６ｂのシンボル数を決定してもよい（５１２）。例えば、無線通信機器１０２は、ＣＱＩ２３８、ＰＭＩ２３６、ＡＣＫ／ＮＡＣＫ２３２、および／またはＲＩ２３４について（例えば、１つ以上のコードワード１２４および複数のレイヤー１２２の）シンボル数を決定してもよい（５１２）。シンボル数の決定（５１２）に関するより詳細については、図２を参照して既に示したが、以降においても、図８を参照して示すこととする。無線通信機器１０２は、アップリンク制御情報１１６ｂを送信してもよい（５１４）。例えば、無線通信機器１０２は、コードワードの選択５１０、および／または、シンボル量の決定５１２に従って、アップリンク制御情報を送信してもよい（５１４）。
【０２４８】
図６は、ＣＱＩ多重化および／またはＰＭＩ多重化のためのコードワード選択モジュール６０４の一形態を示すブロック図である。コードワード選択モジュール６０４は、１つ以上のＨＡＲＱステータス６７６、レイヤー数６７８、コードワード数６８２、および／または、１つ以上のＭＣＳ設定値６８６を含んでいてもよい。また、コードワード選択モジュール６０４は、ＣＷ明示的シグナリングモジュール６８０を備えていてもよい。
【０２４９】
１つ以上のＨＡＲＱステータス６７６の各々は、例えば、コードワード１２４に対応していてもよい。各ＨＡＲＱステータス６７６は、コードワード１２４が初送の対象であるか再送の対象であるか（６３３）、コードワード１２４の伝送が適応的であるか非適応的であるか（６３５）、初送で使用されるリソース量（６３７）、次の適応的な再送に使用されるリソース量（６３９）、ＨＡＲＱ再送回数（６８４）、および／または、コードワード１２４の再送が最後であるか（６４１）等の情報を含んでいてもよい。
【０２５０】
レイヤー数６７８は、無線通信機器１０２によって使用されているレイヤー１２２の数を示していてもよい。コードワード数６８２は、無線通信機器１０２によって使用されているコードワードの数を示していてもよい。１つ以上のＭＣＳ設定値６８６の各々は、コードワード１２４に対応していてもよい。各ＭＣＳ設定値６８６は、例えば、トランスポートブロックサイズ（ＴＢＳ）６８８、および／または、チャネル品質６９０等の情報を示して（例えば、非明示的または明示的に示して）いてもよい。ＴＢＳ６８８は、コードワード１２４のトランスポートブロックのサイズを示していてもよい。チャネル品質６９０は、チャネル品質の指標を与えてもよい。
【０２５１】
ＣＷ明示的シグナリングモジュール６８０は、無線通信機器１０２が、ｅＮＢ２１２の明示的なＣＷ選択コマンドに従うか、あるいは、特定のケースでＣＷ選択を明示的にシグナリングすることを可能にする。ＣＱＩ多重化／ＰＭＩ多重化のためのコードワード選択モジュール６０４は、次のように、図７Ａ〜図７Ｅに示した方法７００に従って動作してもよい。
【０２５２】
図７Ａ、図７Ｂ、図７Ｃ、図７Ｄおよび図７Ｅは、アップリンク制御情報のコードワードを選択する方法７００のいくつかの形態を示すフロー図である。無線通信機器１０２のコードワード選択モジュール１０４は、アップリンク制御情報１１６ｂのＣＷ１２４を選択するために使用されてもよい。一形態では、ＣＱＩ２３８および／またはＰＭＩ２３６は、ＰＵＳＣＨ２２０上でのＳＵ−ＭＩＭＯ伝送において１つのＣＷ２２４に多重化されてもよい。無線通信機器１０２は、ＣＱＩ／ＰＭＩ多重化を使用するかどうかを決定してもよい（７０２）。例えば、無線通信機器１０２は、ＣＱＩ２３８および／またはＰＭＩ２３６メッセージをＰＵＣＣＨ２１４上で送信できない（例えば、ＰＵＣＣＨ２１４のリソースが既に占有されている）か、ｅＮＢ２１２がＣＱＩ／ＰＭＩ多重化を指示したか、および／または、別の方法でＣＱＩ／ＰＭＩ多重化を行うのが良いか、を判定してもよい。
【０２５３】
無線通信機器１０２は、ＣＱＩ／ＰＭＩ多重化を用いることを決定した場合（７０２）、使用するコードワード１２４（例えば、ＣＷ２２４）の数が１つであるか、それ以上であるか、を判定してもよい（７０４）。例えば、基地局１１２（例えば、ｅＮＢ）は、１または複数のコードワード１２４を使用するように無線通信機器１０２の通信の設定（例えば、通信リソースの割り当て）をしてもよい。あるいは、無線通信機器１０２は、１または複数のコードワード１２４を使用しても良いか（例えば、ただ１つ、または、複数のコードワード１２４を使用できるだけの十分な通信リソースがあるか）を判定してもよい。
【０２５４】
無線通信機器１０２がただ１つのコードワード１２４（例えば、１つのＣＷ２２４）を使用すると決定した場合（７０４）、ＣＷ選択２０４は必要なく、実行されない。したがって、図７Ａでは、動作は、結合子Ａ（結合子Ａ、Ｂ、Ｃ、Ｄは便宜上使用される）を通じて、ＣＷの多重化７０６に続いてもよい。換言すれば、ただ１つのコードワード１２４が使用される場合には、無線通信機器１０２は、単一のコードワード１２４を多重化してもよい（７０６）。
【０２５５】
無線通信機器１０２は、１または複数のレイヤー１２２が使用されるかを判定してもよい。例えば、基地局１１２（例えば、ｅＮＢ）が、１または複数のレイヤー１２２を使用するように無線通信機器１０２の通信の設定（例えば、通信リソースの割り当て）をしてもよい。あるいは、無線通信機器１０２は、１または複数のレイヤー１２２を使用しても良いか（例えば、複数のレイヤーを使用できるだけの通信リソースがあるか）を判定してもよい。
【０２５６】
使用するコードワード１２４の数が１であり、レイヤー１２２の数が１または２である場合、無線通信機器１０２は、リリース８（および／または拡張リリース８）の多重化およびチャネルインタリービングの方法を用い、データ制御情報多重化処理に対する入力
【０２５７】
【数８１】
0005939991.tif 000082
【０２５８】
を長さＱm＊Ｌの複数の列ベクトル
【０２５９】
【数８２】
0005939991.tif 000083
【０２６０】
にグループ分けしてもよい。ここで、Ｑmは変調次数（例えばＱＰＳＫの場合には２であり、１６ＱＡＭの場合は４であり、６４ＱＡＭの場合は６である）であり、Ｌはコードワード１２４がマッピングされるレイヤー２２２の数（例えば１、２等）である。例えば、無線通信機器１０２は、ただ１つのレイヤー１２２を使用することを決定した場合（７０８）、リリース８（例えば、”Rel-8”）の多重化を使用してもよい（７１０）。無線通信機器１０２は、１より多い（例えば、２以上）レイヤーを使用することを決定した場合（７０８）、リリース８の多重化を使用（再利用）してもよい（７１２）。この場合、タイミング調整またはタイミング再調整は、２以上のレイヤー（例えば、Ｌ＝２）で有効にされてもよい。
【０２６１】
ＣＱＩ２３８および／またはＰＭＩ２３６の多重化に関し、本明細書に開示されているシステムおよび方法は、ＳＵ−ＭＩＭＯ伝送において複数のコードワード１２４が使用される場合のコードワード選択１０４の手続きを与える。複雑性（complexity）、１または複数の変調符号化方式（ＭＣＳ）の設定値、および／または、ＨＡＲＱステータスもしくはＨＡＲＱプロセスを含むいくつかの要素または態様を用いてもよい。様々な設定において、より少ないか最も少ないオーバーヘッドでコードワード１２４を選択することで制御情報（例えば、アップリンク制御情報Ｂ（１１６ｂ））の多重化に因る伝送されるコードワード１２４に対するシステムの影響を低減または最小化するために、本明細書に開示されているシステムおよび方法は使用されてもよい。
【０２６２】
ＣＱＩ２３８および／またはＰＭＩ２３６メッセージ（例えば、アップリンク制御情報Ｂ（１１６ｂ））は、多重化後に、データ２２６と同様に取り扱われてもよい。したがって、ＣＱＩ２３８および／またはＰＭＩ２３６の多重化後の影響が最小になるコードワード１２４を、（例えば、２以上のコードワードが使用される場合）アップリンクＭＩＭＯ用に選択してもよい。この選択のために、いくつかの要素または態様を用いることができる。これらの要素または態様は、複雑性（complexity）、変調符号化方式（ＭＣＳ）の設定値、および／または、コードワード１２４のＨＡＲＱステータスを含んでいてもよい。
【０２６３】
コードワード１２４を静的または準静的に選択することで、受信機（例えば、基地局１１２またはｅＮＢ２１２）でのデコードを単純化できる。情報を搬送するためにどのコードワード１２４を使用するかを動的に決定する必要がないからである。他方、選択されたコードワード１２４のチャネル状況が悪化している場合には、これにより、無用な性能ロスを招くかもしれない。
【０２６４】
ＭＣＳ設定値がより大きいことは、チャネル品質がより良好であり、データペイロードサイズ（トランスポートブロックサイズ、すなわち、ＴＢＳ）がより大きく、さらに／または、変調次数（Ｑm）がより大きいことを意味する。したがって、制御メッセージの同一のβoffset要求を満たすのに必要なシンボル数は、ＭＣＳ設定値がより大きいレイヤー１２２ではより少なくなり、コードワード１２４の制御／データのオーバーヘッド比は低減または最小化される。
【０２６５】
前回の伝送が成功しなかった場合、ＨＡＲＱ（例えば、ＡＣＫ／ＮＡＣＫ）２３２については、同一または異なる冗長バージョンのコードワード１２４が伝送（例えば、再送）されてもよい。受信機（例えば、基地局１１２またはｅＮＢ２１２）において前のバージョンが既に利用可能になっているので、受信機は、現在の伝送をソフトコンバイニングすることで、より確実にコードワード１２４のデコードを成功できる。したがって、制御情報（例えば、ＵＣＩ  Ｂ（２１６ｂ））の多重化のためにＨＡＲＱ再送のコードワード１２４にリソースを割当または譲渡する場合、初送のコードワード１２４（例えば、初送対象を保持するＣＷ２２４）からリソースを奪う場合に比べて、データ２２６の性能に対する影響を少なくすることができる。
【０２６６】
しかしながら、再送対象のコードワード１２４からリソースを奪うと、再度エラーになった場合に再送されるコードワード１２４の遅延がより大きくなり得る。さらに、コードワード１２４の最後の再送がエラーになった場合、そのことが、より上位のレイヤーの自動再送要求（ＡＲＱ）（例えば、無線リンク制御（ＲＬＣ）のＡＲＱ）を引き起こし、結果として、オーバーヘッドをより大きくしてしまう。したがって、可能な場合には、最後のＨＡＲＱ再送の対象になっているコードワード１２４がＣＱＩ２３８および／またはＰＭＩ２３６を保持するのを避けてもよい。
【０２６７】
一形態では、ＨＡＲＱ伝送は非適応的であってもよい。この形態では、コードワード１２４の再送に同じＭＣＳ設定値を使用してもよく、対応するＨＡＲＱフィードバックは、物理ハイブリッドＡＲＱインジケータチャネル（ＰＨＩＣＨ）上でシグナリングされてもよい。一形態では、ＨＡＲＱ再送は適応的でなくてもよい。この形態では、ＣＷ２２４の再送に同じＭＣＳ設定値が使用されてもよい。別の形態では、これに加え、または、これに代えて、基地局（例えば、ｅＮＢ２１２）が、適応的なＨＡＲＰ再送を行ってもよく、新しい伝送パラメータおよびＨＡＲＱフィードバックが、ＰＤＣＣＨ２１８から与えられるか、ＰＤＣＣＨ２１８でシグナリングされてもよい。例えば、基地局（例えば、ｅＮＢ２１２）は、初回のコードワード１２４の伝送時よりも少ないリソースを再送用に割り当ててもよい。この場合、より少ないリソースで再送される適応的なコードワード１２４にＣＱＩ２３８および／またはＰＭＩ２３６を多重化するのは望ましくないかもしれない。
【０２６８】
一形態では、２以上のＣＷ（例えば、２つのコードワード）２２４がアップリンクで伝送される場合、ＣＱＩ２３８および／またはＰＭＩ２３６は、ただ１つのコードワード１２４に多重化されてもよい。したがって、本明細書に開示されているコードワード選択に関するシステムおよび方法は、様々な構成において、１つ以上の要素または態様（例えば、準静的もしくは動的、ＭＣＳのステータスもしくは設定値、並びに、ＨＱＲＱプロセス）を用いてもよい。
【０２６９】
方法７００の一形態は、ＭＣＳ設定値を用いてコードワード１２４の選択を実行するものであってもよい。この形態では、コードワード選択１０４は、変調符号化方式（ＭＣＳ）の設定値に基づくものであってもよい。この形態は図７Ｂに示されている。この形態では、複数のコードワード１２４のＭＣＳ設定値が異なっている場合、無線通信機器１０２は、ＭＣＳ設定値のより大きい（すなわち、ＴＢＳがより大きく、チャネル品質がより良好な）を選択してもよい。複数のコードワード１２４のＭＣＳ設定値が同一である場合、無線通信機器１０２は、最初のコードワード１２４を選択してもよいし、ＣＷ選択に関するｅＮＢ２１２からの明示的シグナリングに従ってもよいし、コードワードの選択を（ｅＮＢ２１２に対して）明示的に通知してもよい。
【０２７０】
図７Ｂに示すように、動作は、図７Ａの結合子Ｂから続いていてもよい。例えば、無線通信機器１０２は、１より大きい（例えば、２以上）数のコードワード１２４を使用することを決定した場合（７０４）、すべてのコードワード１２４のＭＣＳ設定値（例えば、ＭＣＳ設定値６８６）が同一であるかを判定してもよい（７１４）。無線通信機器１０２は、すべてのコードワード１２４のＭＣＳ設定値が同一である訳ではないと判定した場合（７１４）、ＭＣＳ設定値（例えば、ＭＣＳ設定値６８６）がより大きいか最も大きいコードワード１２４を選択してもよい（７１８）。無線通信機器１０２は、すべてのコードワード１２４のＭＣＳ設定値が同一であると判定した場合（７１４）、最初のコードワード１２４を選択してもよいし、可能な場合にはＣＷ選択に関する明示的シグナリングに従ってもよい。明示的シグナリングを用いる場合、ｅＮＢ２１２がＵＣＩレポート構成２４６を用いたＣＷ選択を無線通信機器１０２に知らせてもよいし、無線通信機器１０２が、選択したコードワード１２４を示すメッセージを基地局１１２に送信してもよい。
【０２７１】
別の形態では、ＭＣＳ設定値および基地局１１２のスケジューリングを用いて静的／準静的にコードワードを選択してもよい。この形態では、ｅＮＢ２１２が、ＵＣＩレポート構成２４６を用いたＣＷ選択を無線通信機器１０２に知らせてもよい。基地局１１２（例えばｅＮＢ２１２）は、ＭＣＳ設定値（例えば、ＭＣＳ設定値６８６）を制御してもよい。したがって、基地局１１２（例えばｅＮＢ２１２）は、静的または準静的なコードワードの選択を可能にするために、ＭＣＳ設定値およびアンテナポート数を変更してもよい。例えば、基地局１１２（例えばｅＮＢ２１２）は、最初のアンテナポートのＭＣＳ設定値（例えば、６８６）を常により高く（または同一に）することで、最初のコードワード１２４のコードワード選択が静的になるようにしてもよい。基地局１１２（ｅＮＢ２１２）は、チャネルの状況が変化すると、最初のコードワード１２４のより高い（または同一の）ＭＣＳ設定値を維持するために、アンテナポート数を変更してもよい。
【０２７２】
動的なコードワード選択は、さらに、上記ＭＣＳ設定値によるＨＡＲＱプロセスを用いてもよい。これは、その構成に応じて、さらに２つのアプローチに分けることができる。ｅＮＢ２１２は、無線通信機器１０２に、ＣＷ選択のプリファレンス、または、ＵＣＩレポート構成２４６によるＨＡＲＱコンシダレーション（HARQ consideration）の設定値を通知してもよい。
【０２７３】
別の形態では、初送時のＭＣＳおよびＨＡＲＱのプリファレンスを用いた動的なコードワード１２４の選択は、図７Ｃに示した通りに実行されてもよい。この形態では、初送のコードワード１２４（例えば、初送対象を保持するコードワード１２４）は、ＨＡＲＱ再送（例えば、ＨＡＲＱ再送コードワード１２４）よりも優先的に選ばれてもよい。エラー時に再送される機会がより多いからである。同様に、ＨＡＲＱプロセスにおける再送回数がより少ないコードワード１２４は、再送回数がより多いコードワード１２４よりも優先的に選択されてもよい。この形態のコードワード選択１０４について、以下に説明する。
【０２７４】
この形態では、（図７Ｃに示すように）動作が図７Ａの結合子Ｂから続いていてもよい。例えば、無線通信機器１０２は、１より大きい（例えば、２以上）のコードワードを使用することを決定した場合（７０４）、すべてのコードワード１２４のＭＣＳ設定値（例えば、ＭＣＳ設定値６８６）が同一であるかを判定してもよい（７２０）。無線通信機器１０２は、すべてのコードワード１２４のＭＣＳ設定値が同一である訳ではないと判定した場合（７２０）、ＭＣＳ設定値（例えば、ＭＣＳ設定値６８６）のより大きい、または、最も大きいコードワード１２４を選択してもよい（７２２）。例えば、すべてのコードワード１２４のＭＣＳ設定値が異なっている場合（７２０）、無線通信機器１０２は、ＭＣＳ設定値のより大きい（すなわち、ＴＢＳがより大きく、チャネル品質がより良好な）コードワード１２４を選択してもよい（７２２）。
【０２７５】
無線通信機器１０２は、すべてのコードワード１２４のＭＣＳ設定値が同一であると判定した場合（７２０）、すべてのコードワード１２４が初送の対象であるかを判定してもよい（７２４）。すべてのコードワード１２４が初送の対象である場合、無線通信機器１０２は、可能な場合には、ＣＷ選択の明示的シグナリングに従ってもよい。
【０２７６】
すべてのコードワード１２４が初送の対象である訳ではない場合、無線通信機器１０２は、すべてのコードワード１２４がＨＡＲＱ再送の対象であるかを判定してもよい（７２８）。すべてのコードワード１２４が初送の対象である訳ではない場合、無線通信機器１０２は、初送のコードワード１２４を選択してもよい（７３０）。例えば、コードワード１２４の１つがＨＡＲＱ再送の対象であり（ＨＡＲＱ再送の対象を保持しており）、別のコードワード１２４が初送の対象である場合、無線通信機器１０２は、その初送のコードワード１２４を選択してもよい。すべてのコードワード１２４がＨＡＲＱ再送の対象である場合、無線通信機器１０２は、任意選択で、結合子Ｃを辿ってもよい。例えば、無線通信機器１０２は、ＨＡＲＱフィードバックを受信する場合、任意選択で、それらが適応的な再送であるか非適応的な再送であるかを判定してもよい。すなわち、無線通信機器１０２は、任意選択で、図７Ｄに示されている適応的または非適応的なコンシダレーション（consideration）を用いてもよい（７３２）。適応的および非適応的なコンシダレーション（consideration）７３２について、図７Ｄを参照して以下でより詳細に説明する。
【０２７７】
１）無線通信機器が、すべてのコードワード１２４がＨＡＲＱ再送の対象であり（ＨＡＲＱ再送対象を保持し）、適応的および非適応的なＨＡＲＱコンシダレーション（HARQ consideration）７３２が（一形態において）使用されていないと判定した場合（７２８）、または、２）適応的および非適応的なＨＡＲＱコンシダレーション７３２から結合子Ｄに動作が戻る場合、無線通信機器１０２は、すべてのコードワード１２４の再送回数が同一であるかを判定してもよい（７３４）。例えば、無線通信機器１０２は、各コードワード１２４の再送回数６８４を比較してもよい。無線通信機器１０２は、すべてのコードワード１２４の再送回数が同一ではないと判定した場合（７３４）、再送回数がより少ない、または、最も少ないコードワードを（例えば、ＨＡＲＱ再送６８４の回数を用いて）選択してもよい（７３６）。例えば、無線通信機器１０２は、コードワード１２４の再送回数を比較し、再送回数がより少ないコードワード１２４を選択してもよい。無線通信機器１０２は、すべてのコードワード１２４の再送回数が同一であると判定した場合（７３４）、最初のコードワード１２４を選択するか（７２６）、可能な場合には、ＣＷ選択の明示的シグナリングに従ってもよい。
【０２７８】
図７Ｄに示した適応的および非適応的なＨＡＲＱコンシダレーション（HARQ consideration）について、より詳細を説明する。図示されているように、（例えば、形態に応じて図７Ｃまたは図７Ｅの）結合子Ｃから動作が継続してもよい。無線通信機器１０２は、すべてのコードワード１２４が非適応的な再送の対象であるかを判定してもよい（７３８）。すべてのコードワード１２４が非適応的な再送の対象である場合、動作は、（例えば、形態に応じて図７Ｃまたは図７Ｅの）結合子Ｄに進んでもよい。
【０２７９】
無線通信機器１０２は、１または複数のコードワード１２４が非適応的な再送の対象でない（例えば、１または複数のコードワード１２４が適応的な再送の対象である）と判定した場合（７３８）、すべてのコードワード１２４が適応的な再送の対象であるかを判定してもよい（７４０）。すべてのコードワード１２４が適応的な再送の対象である訳ではない場合、無線通信機器１０２は、適応的な再送のコードワードが、初送よりも少ないリソースを有する、または、使用するかを判定してもよい（７４２）。例えば、あるコードワード１２４が非適応的な再送の対象であり、別のコードワード１２４が適応的な再送の対象である場合、無線通信機器１０２は、適応的な再送６３９に使用されるリソースと、初送６３７に使用されるリソースと、を比較してもよい。
【０２８０】
無線通信機器１０２は、適応的な再送（を用いる１または複数のコードワード１２４）が、初送よりも少ないリソースを有する、または、使用すると判定した場合（７４２）、非適応的な再送のコードワード１２４を選択し（例えば、適応的な再送のコードワード１２４を選択するのを避け）てもよい（７４４）。あるいは、無線通信機器１０２は、適応的な再送のコードワード１２４に使用されるリソースが初送よりも多いと判定した場合（７４２）、適応的な再送のコードワード１２４を選択してもよい（７４６）。
【０２８１】
無線通信機器１０２は、すべてのコードワード１２４が適応的な再送の対象であると判定した場合、すべてのコードワード１２４のＭＣＳ設定値（例えば、ＭＣＳ設定値６８６）の初期値が同一であるかを判定してもよい（７４８）。すべてのコードワード１２４のＭＣＳ設定値の初期値が同一でない場合、無線通信機器１０２は、ＭＣＳ設定値の初期値がより大きいか最も大きいコードワードを選択してもよい（７５０）。すべてのコードワード１２４のＭＣＳ設定値の初期値が同一である場合、動作は、（例えば、形態に応じて図７Ｃまたは図７Ｅの）結合子Ｄに進んでもよい。
【０２８２】
（図７Ｅに示す）別の形態では、再送のＭＣＳおよびＨＡＲＱプリファレンスを用いた動的なコードワード１２４の選択が行われてもよい。この形態では、再送コードワード１２４にＣＱＩ２３８および／またはＰＭＩ２３６を多重化することにより、システムの性能低下を抑えることができるかもしれない。受信機（例えば、基地局１１２またはｅＮＢ２１２）にコードワード１２４の複製が既に存在するからである。また、ＨＡＲＱソフトコンバイニングにより、初送のみよりも性能がより改善されるかもしれない。この形態では、ＨＡＲＱ再送のコードワード１２４が、初送のコードワード１２４よりも優先的に選択されてもよい。同様に、より再送回数が多いコードワード１２４が、より再送回数が少ないコードワード１２４よりも優先的に選択されてもよい。ただし、上位のレイヤーの再送を引き起こす可能性を低減または最小化するために、最後の再送に関しては、例外としてもよい。このコードワード選択方法の形態について以下に説明する。
【０２８３】
図７Ｅに示すように、動作は、図７Ａに示した結合子Ｂから続いてもよい。この形態では、無線通信機器１０２は、すべてのコードワード１２４のＭＣＳ設定値（例えば、ＭＣＳ設定値６８６）が同一であるかを判定してもよい（７５２）。すべてのコードワード１２４のＭＣＳ設定値が同一でない（ＭＣＳ設定値が異なっている）場合、無線通信機器１０２は、ＭＣＳ設定値がより大きいか最も大きいコードワード１２４を選択してもよい（７５４）。ＭＣＳ設定値がより大きいということは、ＴＢＳ（例えば、ＴＢＳ６８８）がより大きく、チャネル品質（例えば、チャネル品質６９０）がより良好である、ことを意味し得る。
【０２８４】
無線通信機器１０２は、すべてのコードワード１２４のＭＣＳ設定値が同一であると判定した場合（７５２）、すべてのコードワード１２４が初送の対象であるかを判定してもよい（７５６）。すべてのコードワード１２４が初送の対象である場合、無線通信機器１０２は、最初のコードワード１２４を選択してもよいし（７５８）、可能な場合、ＣＷ選択の明示的シグナリングに従ってもよい。
【０２８５】
無線通信機器１０２は、すべてのコードワード１２４が初送の対象である訳ではないと判定した場合（７５６）、すべてのコードワード１２４がＨＡＲＱ再送の対象であるかを判定してもよい（７６０）。すべてのコードワード１２４がＨＡＲＱ再送の対象である訳ではない場合、無線通信機器１０２は、ＨＡＲＱコードワード１２４の最後の再送であるかを判定してもよい（７６２）。例えば、コードワード１２４がＨＡＲＱ再送の対象である（あるいは、ＨＡＲＱ再送の対象を保持する）場合であって、別のコードワード１２４が初送の対象である場合、無線通信機器１０２は、ＨＡＲＱ再送対象のコードワード１２４にとって最後の再送であるかを判定してもよい（７６２）。ＨＡＲＱ再送対象のコードワード１２４にとって最後の再送である場合、無線通信機器１０２は、（そのコードワード１２４を避け）、ＣＱＩ２３８および／またはＰＭＩ２３６の多重化のために、初送のコードワード１２４を選択してもよい（７６４）。最後の再送でない場合、無線通信機器１０２は、ＣＱＩ２３８および／またはＰＭＩ２３６の多重化のために、そのＨＡＲＱ再送対象のコードワード１２４を選択してもよい（７６６）。
【０２８６】
無線通信機器１０２は、すべてのコードワード１２４がＨＡＲＱ再送の対象であると判定した場合（７６０）、動作は任意選択で（図７Ｄに示す）結合子Ｃに進み、すべてのコードワード７３８が非適応的な再送の対象であるかを判定してもよい（７３８）。つまり、無線通信機器１０２は、適応的および非適応的なＨＡＲＱコンシダレーション（HARQ consideration）を用いてもよい（７６８）。あるいは、動作は、適応的および非適応的なＨＡＲＱコンシダレーション（７６８）をスキップしてもよい。
【０２８７】
適応的および非適応的なコンシダレーションが使用されるケースでは、動作は、図７Ｄの結合子Ｃに進んでもよい。例えば、無線通信機器１０２は、ＨＡＲＱフィードバックを受信した場合、それらが図７Ｄに示す適応的または非適応的な伝送であるかを判定してもよい（７３８）。より具体的には、無線通信機器１０２は、すべてのコードワード１２４が非適応的な伝送の対象であるかを判定してもよい（７３８）。すべてのコードワード１２４が非適応的な伝送の対象である場合、動作は、（図７Ｃまたは図７Ｅ）に示す結合子Ｄに進んでもよい。１または複数のコードワード１２４が非適応的な再送の対象でない場合、無線通信機器１０２は、それらのコードワードがすべて適応的な再送の対象であるかを判定してもよい（７４０）。あるコードワード１２４が非適応的な再送の対象であり、別のコードワード１２４が適応的な再送の対象である場合、無線通信機器１０２は、適応的な再送のコードワード１２４が、初送よりも少ないリソースを有するか、または、使用するかを判定してもよい（７４２）。これは、適応的な再送で使用されるリソースと、その初送（で使用されるリソース）と、を比較することで実現されてもよい。適応的な再送が、初送よりも少ないリソースを使用する場合、無線通信機器１０２は、適応的な再送のコードワード１２４を選択するのを避けて、非適応的な再送のコードワード１２４を選択してもよい（７４４）。あるいは、適応的な再送のコードワード１２４に使用されるリソースが、その初送で使用されるリソースよりも多い場合、無線通信機器１０２は、適応的な再送のコードワード１２４を選択してもよい（７４６）。
【０２８８】
無線通信機器１０２は、すべてのコードワード１２４が適応的な再送の対象であると判定した場合（７４０）、すべてのコードワード１２４のＭＣＳ設定値の初期値が同一であるかを判定してもよい（７４８）。すべてのコードワード１２４のＭＣＳ設定値の初期値が同一でない場合、無線通信機器１０２は、ＭＣＳ設定値の初期値がより大きいか、最も大きいコードワード１２４を選択してもよい（７５０）。すべてのコードワード１２４のＭＣＳ設定値の初期値が同一である場合、動作は、（例えば、図７Ｃまたは図７Ｅに示す）結合子Ｄに進んでもよい。
【０２８９】
適応的および非適応的なＨＡＲＱコンシダレーション７６８がスキップされるか、動作が適応的および非適応的なＨＡＲＱコンシダレーション７６８から結合子Ｄに戻る場合、無線通信機器１０２は、すべてのコードワード１２４の再送回数が同一であるかを（例えば、ＨＡＲＱ再送回数６８４を用いて）判定してもよい（７７０）。例えば、無線通信機器１０２は、コードワード１２４の再送回数６８４を比較してもよい。すべてのコードワード１２４の再送回数が同一である場合、無線通信機器１０２は、最初のコードワード１２４を選択してもよいし（７５８）、可能な場合には、ＣＷ選択の明示的シグナリングに従ってもよい。すべてのコードワードの再送回数が同一である訳ではない場合、無線通信機器１０２は、より再送回数の多いコードワードが最後の再送の対象であるかを判定してもよい（７７２）。これがＨＡＲＱ再送回数のより多いコードワード１２４にとって最後の再送である場合、無線通信機器１０２は、そのコードワード１２４を避け、ＣＱＩ２３８および／またはＰＭＩ２３６の多重化のために、再送回数がより少ないか最も少ないコードワード１２４を選択してもよい（７７４）。より再送回数の多いコードワード１２４が最後の再送の対象でない場合、無線通信機器１０２は、ＣＱＩ２３８および／またはＰＭＩ２３６の多重化のために、ＨＡＲＱ再送の回数がより多いか最も多いコードワード１２４を選択してもよい（７７６）。
【０２９０】
図８は、肯定応答／否定応答（ＡＣＫ／ＮＡＣＫ）および／またはランク指標（ＲＩ）の制御シンボル量決定モジュール８４２の一形態を示すブロック図である。制御シンボル量決定モジュール８４２は、ＡＣＫ／ＮＡＣＫおよび／またはＲＩの制御シンボル量を決定するために、１または複数のパラメータまたは情報を含むとともに使用してもよいし、１または複数のパラメータまたは情報を含むか、あるいは、使用してもよい。例えば、制御シンボル量決定モジュール８４２は、ＡＣＫ／ＮＡＣＫビット数８９２、コードワード数８９４、１または複数のβoffset値８９６、（例えば、コードワード１２４の）１または複数のレイヤー数８９８、
【０２９１】
【数８３】
0005939991.tif 000084
【０２９２】
【数８４】
0005939991.tif 000085
【０２９３】
ＲＩビット数８０５、１または複数のＫr値８０７（Ｋrは、ＰＵＳＣＨリソース情報２５０により与えられる変調符号化方式（ＭＣＳ）の設定値２５４およびサブキャリア数（例えば、ＮPRB）に基づいて決定される）、Ｑ’８０９および／または
【０２９４】
【数８５】
0005939991.tif 000086
【０２９５】
を含むとともに使用してもよいし、これらを含むか、または、使用してもよい。これらのパラメータ８９２、８９４、８９６、８９８、８０１、８０３、８０５、８０７、８０９、８１１のより詳細は、以下の通りである。
【０２９６】
Ａ／Ｎ２３２およびＲＩ２３４の一形態では、ＵＣＩシンボル（例えば２１６ｂ）はすべてのレイヤー２２２に亘ってタイミング調整されてもよい。各レイヤー２２２のシンボル数は、決定される必要があるかもしれない。例えば、リリース８では、ＰＵＳＣＨ２２０上に１レイヤー２２２あたりただ１つのＣＷ２２４が存在し得る。したがって、Ａ／ＮおよびＲＩのコード制御ビット数を定めるためには単一のβoffset８９６で十分であるかもしれない。しかしながら、ＳＵ−ＭＩＭＯでは、複数のＣＷ２２４と複数のレイヤー２２２とが使用され得る。ＵＣＩシンボル（例えば、ＵＣＩ  Ｂ（２１６ｂ））はすべてのレイヤー２２２に亘ってタイミング調整され得るので、各レイヤー２２２の対応するβoffset８９６は異なり得る。各レイヤー２２２に同一のβoffset８９６が適用される場合、タイミング調整が保障されないかもしれない。さらに、最も良好な状態のレイヤーのβoffsetでタイミング調整を行う場合には制御情報（例えば、ＵＣＩ  Ｂ（２１６ｂ））に対する保護は不足し、最も悪い状態のレイヤーのβoffsetでタイミング調整を行う場合には制御情報（例えば、ＵＣＩ  Ｂ（２１６ｂ））に対する保護は過剰になってしまうかもしれない。したがって、ＳＵ−ＭＩＭＯの場合、全レイヤー２２２に亘る冗長度の合計としてβoffset８９６を定めてもよい。
【０２９７】
各レイヤー２２２のシンボル数を決定する一形態は、次のように説明される。この形態では、Ａ／Ｎ２３２およびＲＩ２３４は全レイヤー２２２に亘ってタイミング調整されるが、これはランク１送信に類似している。１つのアプローチとして、全レイヤー２２２の全ＣＷ２２４を集約データ（aggregated data）として扱うことでリリース８の手続きを拡張することが挙げられる。これは式（１１）により示される。
【０２９８】
【数８６】
0005939991.tif 000087
【０２９９】
式（１１）では、ＯはＡＣＫ／ＮＡＣＫ２３２のビット数８９２および／またはランク指標（ＲＩ）２３４のビット数８０５であり、Ｃ８９４はＣＷ数８９４であり、Ｋr８０７は、ＣＷ２２４のターボ符号インタリーバサイズである。
【０３００】
【数８７】
0005939991.tif 000088
【０３０１】
は、多数のサブキャリアで表されるトランスポートブロックの現在のサブフレーム内のＰＵＳＣＨ伝送のサブキャリア数である。
【０３０２】
【数８８】
0005939991.tif 000089
【０３０３】
は、同じトランスポートブロックの初回のＰＵＳＣＨ伝送のサブキャリア数であり、
【０３０４】
【数８９】
0005939991.tif 000090
【０３０５】
は、同じトランスポートブロックの初回のＰＵＳＣＨ伝送の１サブフレームあたりのシングルキャリア周波数分割多元接続（ＳＣ−ＦＤＭＡ）のシンボル数であり、
【０３０６】
【数９０】
0005939991.tif 000091
【０３０７】
により与えられる。ＮSRSは、ＵＥが初送において同一のサブフレーム内でＰＵＳＣＨおよびＳＲＳを送信するように構成されている場合、または、初送のＰＵＳＣＨリソース割り当てが、セル固有のＳＲＳサブフレームの設定（SRS subframe configuration）および帯域幅の設定（bandwidth configuration）と部分的に一致する場合には、ＮSRSは１に等しくなる。それ以外の場合にはＮSRSは０に等しくなる。全ＣＷ２２４のＫrの合計は分母に使用されてもよい。
【０３０８】
式（１１）は、次のようにも説明できる。Ａ／Ｎ２３２およびＲＩ２３４は、全レイヤー２２２に亘ってインタリーブされてもよい。したがって、βoffset８９６は、各レイヤー２２２について計算されてもよい。全レイヤー２２２のβoffset８９６の合計値は、望ましいβoffset値に等しくなるべきである。
【０３０９】
例えば、Ｑ’を各レイヤー２２２のシンボル８０９とすると、各レイヤー２２２のβoffset８９６は、式（１２）のように与えられてもよい。
【０３１０】
【数９１】
0005939991.tif 000092
【０３１１】
式（１２）では、レイヤーｉ２２２がｊ番目のＣＷ２２４にマッピングされている。０、・・・、Ｃ−１の各ｊについて、
【０３１２】
【数９２】
0005939991.tif 000093
【０３１３】
はｊ番目のＣＷ２２４のインタリーバサイズであり、Ｌj８９８は、Ｃ番目のＣＷ２２４のレイヤー数８９８である。βoffsetの合計は、式（１３）のように表現されてもよい。
【０３１４】
【数９３】
0005939991.tif 000094
【０３１５】
式（１３）において、Ｌは伝送用のレイヤー２２２の総数であり、
【０３１６】
【数９４】
0005939991.tif 000095
【０３１７】
となる。したがって、望ましいβoffset値８９６が与えられると、式（１４）に示すように望ましいＱ’８０９を求めることができる。
【０３１８】
【数９５】
0005939991.tif 000096
【０３１９】
ＵＣＩ（例えば、ＵＣＩ  Ｂ（２１６ｂ））がシンボルの整数番号にマッピングされてもよい。これにより、同じ結果が得られる。すなわち、
【０３２０】
【数９６】
0005939991.tif 000097
【０３２１】
となる。この形態では、例えば、βoffset８９６は、ＭＣＳ設定値がより大きいレイヤー２２２／コードワード２２４に対しては、より小さいレイヤー２２２／ＣＷ２２４のβoffset値が割り当てられるように、全レイヤー２２２に亘って比例的に配分される。
【０３２２】
別の形態では、より堅実な（例えば、制御のパフォーマンスを保障可能な）方法として、最も悪い状態のレイヤー２２２の設定値に基づいてＱ’８０９を計算する方法がある。この形態において、レイヤーの期待されるβoffset８９６を
【０３２３】
【数９７】
0005939991.tif 000098
【０３２４】
のように記述するものとする。このとき、
【０３２５】
【数９８】
0005939991.tif 000099
【０３２６】
は、式（１５）に示すように決定されてもよい。
【０３２７】
【数９９】
0005939991.tif 000100
【０３２８】
天井関数を施すことで得られるシンボルの整数をＰＵＳＣＨリソースで制限することで、式（１６）が求められてもよい。
【０３２９】
【数１００】
0005939991.tif 000101
【０３３０】
さらに、Ｑ’８０９は、式（１７）のように決定されてもよい。
【０３３１】
【数１０１】
0005939991.tif 000102
【０３３２】
この形態は、最も悪い状態のコードワード２２４およびレイヤー２２２であってもβoffset８９６が維持されることを保障できる。他方で、この形態は、式（１１）〜（１４）に示した形態と比較して、Ａ／Ｎ２３２およびＲＩ２３４を保護する上でのオーバーヘッドがより大きくなる。
【０３３３】
図９は、無線通信機器９０２に使用可能な様々な構成部材を示している。無線通信機器９０２は、前に示した無線通信機器１０２またはＵＥ２０２として利用されてもよい。無線通信機器９０２は、無線通信機器９０２の動作を制御するプロセッサ９１３を備えている。プロセッサ９１３は、ＣＰＵとも呼称することができる。メモリ９３１は、プロセッサ９１３に命令９１５ａおよびデータ９１７ａを提供するものであるが、リードオンリーメモリ（ＲＯＭ）およびランダムアクセスメモリ（ＲＡＭ）の両方を含んでいてもよいし、情報を格納可能な他の種類のデバイスであってもよい。メモリ９３１の一部は、不揮発性ランダムアクセスメモリ（ＮＶＲＡＭ）を含んでいてもよい。また、命令９１５ｂおよびデータ９１７ｂは、プロセッサ９１３に存在していてもよい。プロセッサ９１３にロードされる命令９１５ｂおよび／またはデータ９１７ｂは、プロセッサ９１３による実行または処理のためにメモリ９３１からロードされた命令９１５ａおよび／またはデータ９１７ａを含んでいてもよい。本明細書に開示されているシステムおよび方法を実現するために、命令９１５ｂはプロセッサ９１３により実行されてもよい。
【０３３４】
無線通信機器９０２は、データの送受信を可能にする送信機９２１および受信機９２３を入れる筐体を備えていてもよい。送信機９２１および受信機９２３を一体化して送受信機９１９としてもよい。１または複数のアンテナ９０８ａ〜９０８ｎは、筐体に取り付けられ、送受信機９１９と電気的に接続されてもよい。
【０３３５】
無線通信機器９０２の様々な構成部材は、データバスに加えて、パワーバス、制御信号バス、ステータス信号バスを含み得るバスシステム９２９によって一緒に接続されていてもよい。しかしながら、図９においては、図を明瞭にするために、様々なバスは、バスシステム９２９として示している。無線通信機器９０２は、信号処理に使用されるデジタルシグナルプロセッサ（ＤＳＰ）９２５を備えていてもよい。また、無線通信機器９０２は、無線通信機器９０２の機能に対するユーザアクセスを提供する通信インタフェース９２７を備えていてもよい。図９に示した無線通信機器９０２は、特定の構成部材のリストというよりはむしろ機能ブロック図である。
【０３３６】
図１０は、基地局１０１２に使用可能な様々な構成部材を示している。基地局１０１２は、前に示した基地局１１２またはｅＮＢ２１２として利用されてもよい。基地局１０１２は、無線通信機器９０２に関して上述した構成部材群と類似している構成部材群を備えていてもよい。この構成部材群は、プロセッサ１０１３、プロセッサ１０１３に命令１０１５ａおよびデータ１０１７ａを提供するメモリ１０３１、プロセッサ１０１３内に存在するかプロセッサ１０１３にロードされる命令１０１５ｂおよびデータ１０１７ｂ、送信機１０２１および受信機１０２３（送受信機１０１９に一体化してもよい）を入れる筐体、送受信機１０１９に電気的に接続される１または複数のアンテナ１０１０ａ〜１０１０ｎ、バスシステム１０２９、信号処理に使用されるＤＳＰ１０２５、通信インタフェース１０２７等を含んでいる。
【０３３７】
「コンピュータ読み取り可能な媒体」または「プロセッサ読み取り可能な媒体」というタームは、コンピュータまたはプロセッサによってアクセス可能な任意の利用可能な媒体を指している。本明細書で使用されている「コンピュータ読み取り可能な媒体」は、コンピュータおよび／またはプロセッサにより読み取り可能な非一時的で有形の媒体を示し得る。例を挙げると、コンピュータ読み取り可能な、または、プロセッサ読み取り可能な媒体は、ＲＡＭ、ＲＯＭ、ＥＥＰＲＯＭ（登録商標）、ＣＤ−ＲＯＭもしくはその他の光ディスク（disk）メモリ、磁気ディスク（disk）メモリもしくはその他の磁気ディスク装置、または、コンピュータもしくはプロセッサがアクセス可能な命令もしくはデータ構造の形態の所望のプログラムコードを保持もしくは格納するのに使用可能な他の記録媒体であってもよいが、これらには限定されない。本明細書で使用されているディスク（disk）およびディスク（disc）は、コンパクトディスク（ＣＤ）、レーザーディスク（登録商標）、光ディスク、ＤＶＤ（digital versatile disc）、フロッピー（登録商標）ディスクおよびブルーレイディスク（商標）を含んでいるが、一般的にディスク（disk）は磁気的にデータを再生するものであり、ディスク（disc）はレーザーで光学的にデータを再生するものである。
【０３３８】
本明細書に開示されている各方法は、説明した方法を実現するための１または複数のステップまたはアクションを含んでいる。この方法に関する複数のステップおよび／または複数のアクションは、特許請求の範囲から逸脱しなければ、相互に入れ替えてもよく、単一のステップに統合してもよく、上記通信システムの他の副次的な態様に組み込まれてもよい。すなわち、説明されている方法を適切に実行する上で複数のステップまたはアクションの順序が特定の順序であることが要求されない限り、特許請求の範囲から逸脱しない範囲内で、特定の複数のステップおよび／またはアクションの順序および／または使用を変更してもよい。
【０３３９】
特許請求の範囲は、上述した形態および構成要素そのものに限定されないことを理解すべきである。本明細書に記載されているシステム、方法および装置の配置、動作および細部に対し、特許請求の範囲から逸脱しない範囲で、様々な修正、変更および変形を加えることができる。
【図１】
0005939991.tif 000103
【図２】
0005939991.tif 000104
【図３】
0005939991.tif 000105
【図４】
0005939991.tif 000106
【図５】
0005939991.tif 000107
【図６】
0005939991.tif 000108
【図７Ａ】
0005939991.tif 000109
【図７Ｂ】
0005939991.tif 000110
【図７Ｃ】
0005939991.tif 000111
【図７Ｄ】
0005939991.tif 000112
【図７Ｅ】
0005939991.tif 000113
【図８】
0005939991.tif 000114
【図９】
0005939991.tif 000115
【図１０】
0005939991.tif 000116